(57)【要約】【課題】二次電池の電解液が漏れても、電装部品に触れることなく、高さを低くして安定した蓄電池システムを提供する。【解決手段】二次電池３８と、二次電池３８の状態を認識して制御を行なう蓄電池制御ユニット３９と、二次電池３８の充放電を制御する充放電制御部４２と、充放電制御部４２を冷却するファン４５とを備え、二次電池３８は、複数の蓄電池モジュールＭＤＬ１〜ＭＤＬ６からなり、複数の蓄電池モジュールＭＤＬ１〜ＭＤＬ６は左右一対に設けられ、その左右一対の電池モジュールＭＤＬ１〜ＭＤＬ６を上下方向に複数段設けるとともに、二次電池３８が収納される電池収納部２２０の上方には、充放電制御部４２が設けられ、充放電制御部４２に設けられた放熱フィン２３５をファン４５の風路に設けている。【選択図】図１
2014026934.tif 000002
【特許請求の範囲】
【請求項１】
二次電池と、
前記二次電池の状態を認識して制御を行なう蓄電池制御ユニットと、
前記二次電池の充放電を制御する充放電制御部と、
前記充放電制御部を冷却するファンとを備え、
前記二次電池は、複数の電池モジュールからなり、
複数の前記電池モジュールは左右一対に設けられ、その左右一対の前記電池モジュールを上下方向に複数段設けるとともに、
前記二次電池が収納される電池収納部の上方には、前記充放電制御部が設けられ、
前記充放電制御部に設けられた放熱器を前記ファンの風路に設けたことを特徴とする蓄電池システム。
【請求項２】
前記電池モジュールは、直方体状に形成され、
前記電池収納部に対して、前記直方体の最も短い辺を高さ方向に設置するとともに、
前記直方体の二番目に短い辺を奥行き方向に設置することを特徴とする請求項１記載の蓄電池システム。
【請求項３】
前記電池モジュールの端子部は、前記直方体の最も長い辺と二番目に短い辺によって囲まれる面に設けられ、前記端子部から前記蓄電池システムの前面まで延出した導電部を設け、前記導電部の端部に他の前記電池モジュールと接続する接続部を設け、前記接続部と上下方向に隣接する前記電池モジュールの前記接続部とを導電線で接続するものとことを特徴とする請求項２記載の蓄電池システム。
【請求項４】
前記導電部は絶縁材からなるカバーによって覆われ、
前記導電部の端部間に絶縁部材を配置したことを特徴とする請求項３記載の蓄電池システム。
【請求項５】
複数の前記電池モジュール間の電力を切断する切断機を設け、
前記切断機は、前記蓄電池システムの前面側に設けられていることを特徴とする請求項１〜４のいずれか１項に記載の蓄電池システム。
【請求項６】
前記充放電制御部を前方からケースにより覆い、
前記ケースは後方の取り付け板に接続され、
その取り付け板の後方にはダクトが取り付けられ、
前記ファンから前記ダクト間の通風経路内に前記放熱器が設けられたことを特徴とする請求項１〜５のいずれか１項に記載の蓄電池システム。
【請求項７】
前記二次電池の最底部に液受け部を設けたことを特徴とする請求項１〜６のいずれか１項に記載の蓄電池システム。
【請求項８】
前記液受け部の中心部には凸部が設けられ、
前記凸部の上部に前記電池モジュールが載置され、
前記凸部は少なくとも前記液受け部の前面側の側壁の高さと同じか高く形成されたものとすることを特徴とする請求項７記載の蓄電池システム。
【発明の詳細な説明】
【技術分野】
【０００１】
本発明は、系統からの電力を二次電池に充電し、当該二次電池を放電して負荷に電力を供給する蓄電池システムに関する。
【背景技術】
【０００２】
この種の家庭用の蓄電池システムとして、例えば特許文献１には、商用電力系統と負荷との間に電力変換機能を備えた充放電制御部を接続し、この充放電制御部を経由して、系統からの電力を蓄電池である二次電池に充電し、或いは当該二次電池を放電して負荷に電力を供給して、二次電池の充放電を制御するものが開示されている。
【先行技術文献】
【特許文献】
【０００３】
【特許文献１】特開２００２−１９９５８８号公報
【発明の概要】
【発明が解決しようとする課題】
【０００４】
従来の蓄電池システムでは、二次電池から電解液が漏れて、電装部品に電解液が触れた場合、発火する恐れがあるとともに、重心が高いと地震などの場合に転倒する恐れがあるという問題があった。
【０００５】
そこで本発明は、二次電池の電解液が漏れても、電装部品に触れることなく、高さを低くして安定した蓄電池システムを提供することを目的とする。
【課題を解決するための手段】
【０００６】
請求項１の発明は、二次電池と、前記二次電池の状態を認識して制御を行なう蓄電池制御ユニットと、前記二次電池の充放電を制御する充放電制御部と、前記充放電制御部を冷却するファンとを備え、前記二次電池は、複数の電池モジュールからなり、複数の前記電池モジュールは左右一対に設けられ、その左右一対の前記電池モジュールを上下方向に複数段設けるとともに、前記二次電池が収納される電池収納部の上方には、前記充放電制御部が設けられ、前記充放電制御部に設けられた放熱器を前記ファンの風路に設けたことを特徴とする。
【０００７】
請求項２の発明は、前記電池モジュールは、直方体状に形成され、前記電池収納部に対して、前記直方体の最も短い辺を高さ方向に設置するとともに、前記直方体の二番目に短い辺を奥行き方向に設置することを特徴とする。
【０００８】
請求項３の発明は、前記電池モジュールの端子部は、前記直方体の最も長い辺と二番目に短い辺によって囲まれる面に設けられ、前記端子部から前記蓄電池システムの前面まで延出した導電部を設け、前記導電部の端部に他の前記電池モジュールと接続する接続部を設け、前記接続部と上下方向に隣接する前記電池モジュールの前記接続部とを導電線で接続するものとすることを特徴とする。
【０００９】
請求項４の発明は、前記導電部は絶縁材からなるカバーによって覆われ、前記導電部の端部間に絶縁部材を配置したことを特徴とする。
【００１０】
請求項５の発明は、複数の前記電池モジュール間の電力を切断する切断機を設け、前記切断機は、前記蓄電池システムの前面側に設けられていることを特徴とする。
【００１１】
請求項６の発明は、前記充放電制御部を前方からケースにより覆い、前記ケースは後方の取り付け板に接続され、その取り付け板の後方にはダクトが取り付けられ、前記ファンから前記ダクト間の通風経路内に前記放熱器が設けられたことを特徴とする。
【００１２】
請求項７の発明は、前記二次電池の最底部に液受け部を設けたことを特徴とする。
【００１３】
請求項８の発明は、前記液受け部の中心部には凸部が設けられ、前記凸部の上部に前記電池モジュールが載置され、前記凸部は少なくとも前記液受け部の前面側の側壁の高さと同じか高く形成されたものとすることを特徴とする。
【発明の効果】
【００１４】
請求項１の発明によれば、電池モジュールを一対にして、蓄電池システムの底部に配置して、複数段積み上げることにより、万が一、二次電池の電解液が漏れても、電装部品には、電解液が触れることがないので、発火の危険を防止することができる。また、蓄電池システムの高さを低くすることができ、安定して設置できるので、地震などの揺れに対しても安定させることができる。
【００１５】
請求項２の発明によれば、電池モジュールを低く積み上げることができ、蓄電池システムの高さをより低くすることができる。
【００１６】
請求項３の発明によれば、端子部を前面に配置することで、作業性を向上させることができる。
【００１７】
請求項４の発明によれば、端子部間の接触を防止することができる。
【００１８】
請求項５の発明によれば、簡単に切断機を取り外すことが可能となり、サービス性が向上する。
【００１９】
請求項６の発明によれば、冷却風が電子部品に直接触れる機会を少なくして、ほこりなどがかからないようにするとともに、充放電制御部自体を取り付け板から取り外すことで、修理し易い構造とすることができる。また、電磁波が充放電制御部から外部に漏れることを極力防止することができる。
【００２０】
請求項７の発明によれば、二次電池から漏れ出した電解液を受けることができる。
【００２１】
請求項８の発明によれば、二次電池を蓄電池システムの前方からずらしながら載置することができる。
【図面の簡単な説明】
【００２２】
【図１】本発明の一実施形態における蓄電池システムの電気的構成を示す系統図である。
【図２】同上、通常時における蓄電池システムの概念図である。
【図３】同上、停電時における蓄電池システムの概念図である。
【図４】同上、扉を開けた状態のコントローラの正面図と側面図である。
【図５】同上、扉を閉じた状態のコントローラの正面図と側面図である。
【図６】同上、有線タイプおよび無線タイプの各ＩＴアダプタを一方向から見た斜視図である。
【図７】同上、有線タイプおよび無線タイプの各ＩＴアダプタを、図６とは逆の方向から見た斜視図である。
【図８】同上、有線タイプのＩＴアダプタを装着したコントローラの背面図である。
【図９】同上、図８に示すコントローラのケースを外した側面図である。
【図１０】同上、無線タイプのＩＴアダプタを装着したコントローラのカバーを外した背面図である。
【図１１】同上、コントローラの制御系統に関係する構成の概要を示すブロック図である。
【図１２】同上、パラメータ設定手段に関連する構成のブロック図である。
【図１３】同上、充放電制御指示手段に関連する構成のブロック図である。
【図１４】同上、メニュー選択状態における表示部の表示形態を示す正面図である。
【図１５】同上、時刻設定状態における表示部の表示形態を示す正面図である。
【図１６】同上、タイマー設定のための表示部の表示形態を示す正面図である。
【図１７】同上、タイマー切替設定のための表示部の表示形態を示す正面図である。
【図１８】同上、充電時間設定のための表示部の表示形態を示す正面図である。
【図１９】同上、放電時間設定のための表示部の表示形態を示す正面図である。
【図２０】同上、電池残量設定のための表示部の表示形態を示す正面図である。
【図２１】同上、おすすめモードにおける表示部の表示形態を示す正面図である。
【図２２】同上、タイマーモードにおける表示部の表示形態を示す正面図である。
【図２３】同上、充電モードにおける表示部の表示形態を示す正面図である。
【図２４】同上、放電モードにおける表示部の表示形態を示す正面図である。
【図２５】同上、アシストモードにおける表示部の表示形態を示す正面図である。
【図２６】同上、停電自立運転モードにおける表示部の表示形態を示す正面図である。
【図２７】同上、蓄電池盤の正面側を示す斜視図である。
【図２８】同上、蓄電池盤の背面側を示す斜視図である。
【図２９】同上、図２８のＡ部分における要部拡大断面図である。
【図３０】同上、図２８のＢ部分における要部拡大断面図である。
【図３１】同上、蓄電池盤の外装パネルを外した状態を示す斜視図である。
【図３２】同上、蓄電池盤の背面パネルを外した状態を示す背面側斜視図である。
【図３３】同上、パワーコンディショナの分解斜視図である。
【図３４】同上、右側面パネル及びファン付近を示す断面斜視図である。
【図３５】同上、基板取付体の外観を示す斜視図である。
【図３６】同上、基板取付体内部を示す斜視図である。
【図３７】同上、基板取付体の斜視図である。
【図３８】同上、基板取付体付近を底面側から見た状態を示す斜視図である。
【図３９】同上、電気部品収納部を上方から見た状態を示す斜視図である。
【図４０】同上、蓄電池盤の背面パネルを外した状態の背面側の斜視図である。
【図４１】同上、電気部品収納部を背面側上方からみた斜視図である。
【図４２】同上、蓄電池盤の外装パネルを外した状態を下側から見た斜視図である。
【図４３】同上、蓄電池モジュールの斜視図である。
【図４４】同上、電池収納部の斜視図である。
【図４５】同上、電池収納部における蓄電池モジュールの取り付け状態を示す斜視図である。
【図４６】同上、蓄電池モジュールを外した状態を示す電池収納部の斜視図である。
【図４７】同上、表示部及び端子部付近を示す斜視図である。
【図４８】同上、端子台を露出した状態を示す表示部及び端子部付近の斜視図である。
【図４９】同上、端子台を露出した状態を示す電気部品収納部の斜視図である。
【図５０】同上、図４９と異なる角度から見た電気部品収納部の斜視図である。
【図５１】同上、第１の端子台カバー及び第２の端子台カバーを示す端子部付近の斜視図である。
【発明を実施するための形態】
【００２３】
以下、添付図面を参照しつつ、本発明における定置式家庭用蓄電池システムの好適な実施形態を説明する。
【００２４】
電気的な構成を示す図１において、本実施形態における蓄電池システム１は、単相三線式２００Ｖの商用電力系統Ｓからの交流電力と、住宅敷地内の屋外に設置された太陽電池２からの直流電力を電源として動作するもので、住宅内すなわち屋内にそれぞれ設置した第１住宅用分電盤（以下、第１分電盤という）４、第２住宅用分電盤（以下、第２分電盤という）５およびコントローラ６と、住宅敷地内の屋外に設置した蓄電池盤７とにより主に構成される。
【００２５】
系統Ｓに一端が接続する三線式の第１電源線８は、図示しない２本の電圧線と１本の中性線とにより構成され、第１分電盤４に引き込まれて配線される。第１分電盤４は、系統Ｓを保有する電力会社との契約ブレーカ１１の他に、主幹ブレーカ１２や、太陽光連系ブレーカ１３や、分岐ブレーカ１４や、負荷電流検出用の第１カレントトランス１５などを内部に組み込んでおり、第１電源線８の一端から他端に向けて、契約ブレーカ１１と、主幹ブレーカ１２と、第１カレントトランス１５が、それぞれ順に挿入接続される。
【００２６】
第１電源線８の他端には、各々に分岐ブレーカ１４を挿入接続した第１分岐線１６の一端が接続され、第１分岐線１６の他端には、住宅内に設置した停電時非バックアップ対象の第１負荷として、住宅内負荷Ｌ１が接続される。第１分岐線１６は、前述した２本の電圧線と１本の中性線とによる三線式、若しくは何れか１本の電圧線と中性線とによる二線式であるため、第１分電盤４に接続する住宅内負荷Ｌ１は、第１分岐線１６を介して交流２００Ｖまたは交流１００Ｖの何れかが供給される構成となっている。
【００２７】
第１分電盤４はその他に、第２分電盤５を経由して蓄電池盤７に接続する第２電源線１７と、住宅内に設置された太陽光発電用のパワーコンディショナ１８に接続する第３電源線１９がそれぞれ引き込まれて配線される。第２電源線１７と第３電源線１９は何れも三線式で、交流２００Ｖの供給を可能にするもので、第２電源線１７の一端は、第１分岐線１６につながる第１カレントトランス１５の他端に接続され、第３電源線１９の一端は、契約ブレーカ１１と主幹ブレーカ１２との接続点に接続される。また、第３電源線１９には前述の太陽光連系ブレーカ１３が挿入接続される。
【００２８】
太陽電池２は、パワーコンディショナ１８と共に太陽光発電システム２１を構成し、太陽光を直流電力に変換してパワーコンディショナ１８に送出するものである。またパワーコンディショナ１８は、太陽電池２からの直流電力を交流電力に変換する電力変換器としての機能を有する。パワーコンディショナ１８には、交流２００Ｖを供給するための第３電源線１９が接続されると共に、交流１００Ｖを自立出力可能にする差込み口（図示せず）が設けられる。この差込み口には、二線式の補助電源線２２の一端に接続する電源プラグ２３が装着され、補助電源線２２の他端は第２電源線１７を構成する何れか１本の電圧線と中性点に接続される。
【００２９】
パワーコンディショナ１８には、系統Ｓから正常に電力が供給されているか否かを監視する停電監視部（図示せず）が設けられている。これにより、系統Ｓから所定の電力が正常に供給される通常時には、パワーコンディショナ１８が第３電源線１９を介して第１電源線８に交流電力を供給し、その電力を蓄電池システム１側で消費させると共に、余剰電力を系統Ｓに送って電力会社への売電を行なう一方、系統Ｓからの電力供給が途絶えたいわゆる停電時には、パワーコンディショナ１８が自立出力して、補助電源線２２を介して第２電源線１７に交流電力を供給する構成になっている。
【００３０】
第２分電盤５は、主幹ブレーカ２５，２６や、サーキットブレーカ２７や、分岐ブレーカ２８や、保守用の切替回路２９などを主な構成要素とし、前述した第２電源線１７と補助電源線２２が第２分電盤５にそれぞれ配線される。また、第２電源線１７には主幹ブレーカ２５が挿入接続され、補助電源線２２にはサーキットブレーカ２７が挿入接続される。
【００３１】
第２電源線１７は、屋内に設置した第２分電盤５から屋外に設置した蓄電池盤７に引き回して配線されるが、第２分電盤５内において、第２電源線１７の途中にその一端を接続した二線式の第１給電線３０が配線されると共に、蓄電池盤７内において、同じく第２電源線１７の途中にその一端を接続した二線式の第２給電線３１が、蓄電池盤７から第２分電盤５に引き回して配線される。第１給電線３０の他端は、第２分電盤５内において第２給電線３１の途中に接続される。
【００３２】
切替回路２９は、手動操作可能な操作体３２と、この操作体３２に連動する二連の接点３３，３４とにより構成され、これらの接点３３，３４は前述の第１給電線３０と第２給電線３１に各々接続される。また第２給電線３１は、第１給電線３０との接続点と他端との間に、主幹ブレーカ２６が挿入接続される。本実施形態での切替回路２９は、常用時に接点３３がオフし、接点３４がオンする一方で、非常時には操作体３２の操作により、接点３３をオンにし、接点３４をオフにすることができる。
【００３３】
第２給電線３１の他端には、各々に分岐ブレーカ２８を挿入接続した第２分岐線３５の一端が接続され、第２分岐線３５の他端には、住宅内に設置した停電時バックアップ対象の第２負荷として、住宅内負荷Ｌ２が接続される。第２分岐線３５は何れも二線式であるため、第２分電盤５に接続する住宅内負荷Ｌ２は、第２分岐線３５を介して交流１００Ｖだけが供給される構成となっている。
【００３４】
上述した第１分電盤４に組み込まれる契約ブレーカ１１、主幹ブレーカ１２、太陽光連系ブレーカ１３、および分岐ブレーカ１４や、第２分電盤５に組み込まれる主幹ブレーカ２５、主幹ブレーカ２６、サーキットブレーカ２７、および分岐ブレーカ２８は、何れもそこに過電流が流れた時に回路を遮断する機能を有する。したがって、今後は特に断り書きのない限り、これらの各ブレーカ１１〜１４，２５〜２８は、何れも常にオン状態にあるものとする。
【００３５】
蓄電池システム１の屋外機を構成する蓄電池盤７は、充放電可能な蓄電池である二次電池３８が搭載され、この二次電池３８や蓄電池制御ユニット（ＢＭＵ：Battery Management Unit）３９などを含む電池システム４１の他に、パワーコンディショナ４２や、停電開閉部４３や、保守用切替器４４や、ファン４５などを内部に組み込んで構成される。
【００３６】
本実施形態で使用する二次電池３８は、１２個のリチウムイオン電池セル（図示せず）を直列に接続したものを、２並列に接続した６個の蓄電池モジュールＭＤＬ１〜ＭＤＬ６からなる。個々の電池セルの電池電圧は直流２．３Ｖで、各々の蓄電池モジュールＭＤＬ１〜ＭＤＬ６の端子電圧は直流２７．６Ｖ（１８Ｖ〜３２．４Ｖの範囲）であり、これらの蓄電池モジュールＭＤＬ１〜ＭＤＬ６を直列接続することで、二次電池３８全体として直流１６６Ｖ（１０８Ｖ〜１９４Ｖの範囲）の電圧を取り出すことができる。但し、電池セルの種類や接続形態などは、本実施形態のものに限定されない。
【００３７】
蓄電池モジュールＭＤＬ１〜ＭＤＬ６には、電池セル管理モジュールＣＭＵ１〜ＣＭＵ６がそれぞれ設けられる。電池セル管理モジュールＣＭＵ１〜ＣＭＵ６は、対応する蓄電池モジュールＭＤＬ１〜ＭＤＬ６の各電池セルについて、電池電圧（充電量や残量）や温度などの監視結果を蓄電池制御ユニット３９に送出すると共に、蓄電池制御ユニット３９からの制御信号を受けて、個々の電池セルの電池電圧を適正な範囲（上述の例では、直流１．５〜２．７Ｖ）に調整するものである。蓄電池モジュールＭＤＬ１〜ＭＤＬ６は、パワーコンディショナ４２から電池システム４１に引き回された直流線路４６にそれぞれ挿入接続される。
【００３８】
電池システム４１にはその他に、切断機４７と、開閉器４８，４９と、電流検出器５０がそれぞれ設けられる。保守用に設けられた切断機４７は、直列接続された一方の蓄電池モジュールＭＤＬ１〜ＭＤＬ３の一群と、直列接続された他方の蓄電池モジュールＭＤＬ４〜ＭＤＬ６の一群との間の直流線路４６に挿入接続され、電池システム４１の保守点検時などに、この切断機４７を手動操作して直列線路４６を切断することで、蓄電池モジュールＭＤＬ１〜ＭＤＬ６による不意の感電を防止し得るように構成している。また、切断機４７の状態を示す検出信号が、蓄電池制御ユニット３９に送出されるようになっている。
【００３９】
開閉器４８，４９は、二次電池３８の正極側と負極側にそれぞれ位置して、直流線路４６に挿入接続される。また電流検出器５０は、電池システム４１内における二次電池３８の充放電電流を検出して、その検出信号を蓄電池制御ユニット３９に送出するもので、二次電池３８の負極側の直流線路４６に挿入接続される。
【００４０】
蓄電池制御ユニット３９は、二次電池３８の状態を認識して制御を行なうもので、具体的には電池セル管理モジュールＣＭＵ１〜ＣＭＵ６、切断機４７および電流検出器５０からの各検出信号を受けて、二次電池３８に対して適切な制御が行われるように、各電池セル管理モジュールＣＭＵ１〜ＣＭＵ６に制御信号を送出すると共に、二次電池３８の正常動作時に開閉器４８，４９をオン状態にし、二次電池３８の異常時や点検時などに開閉器４８，４９をオフ状態にするように、各開閉器４８，４９に制御信号を送出する。また蓄電池制御ユニット３９は、前述の電池セル管理モジュールＣＭＵ１〜ＣＭＵ６、切断機４７および電流検出器５０からの各検出信号に基づく二次電池３８の状態を認識した結果を、制御線５１を通じてパワーコンディショナ４２に送出する機能を備えている。
【００４１】
前述のパワーコンディショナ４２には、第２分電盤５からの第２電源線１７が引き回されて配線されると共に、この第２電源線１７と並列に二線式の第３給電線５２が接続される。またパワーコンディショナ４２は、系統Ｓや住宅内負荷Ｌ１，Ｌ２と二次電池３８との間で電力変換を行なう電力変換部５３や、電力変換部５３に駆動信号を供給する制御基板５４や、制御基板５４などに所定の動作電圧を供給する動作電源部５５や、第２電源線１７と第３給電線５２にそれぞれ挿入接続される切替リレー５６，５７などを具備する。
【００４２】
電力変換部５３は、第２電源線１７側に接続するＤＣ／ＡＣ変換回路６１と、直流線路４６側に接続するＤＣ／ＤＣ変換回路６２とを直列に接続し、制御基板５４からの指令信号を受けて、ＤＣ／ＡＣ変換回路６１およびＤＣ／ＤＣ変換回路６２を構成する半導体スイッチング素子（図示せず）の制御端子すなわちゲートに、所定のパルス駆動信号をそれぞれ供給するゲート駆動回路６３を備えて構成される。電力変換部５３のインバータとしてのＤＣ／ＡＣ変換回路６１は、内蔵する半導体スイッチング素子のスイッチング動作に伴い、第２電源線１７からの直流電力を交流電力に変換してＤＣ／ＤＣ変換回路６２に送出し、或いはＤＣ／ＤＣ変換回路６２からの直流電力を交流電力に変換して第２電源線１７に送出する機能を有する。また、電力変換部５３のコンバータとしてのＤＣ／ＡＣ変換回路６１は、内蔵する半導体スイッチング素子のスイッチング動作に伴い、ＤＣ／ＡＣ変換回路６１からの直流電圧を、二次電池３８を充電するに適した電圧レベルに降圧し、或いは二次電池３８からの直流電圧を、住宅内負荷Ｌ１，Ｌ２を正常に動作させるに適した電圧レベルに昇圧する機能を有する。
【００４３】
動作電源部５５は、ダイオード６４と、ＤＣ／ＤＣコンバータとしての制御電源回路６５とを備え、直流線路４６の両端間に発生する直流電圧を、ダイオード６４を介して制御電源回路６５に送出すると共に、蓄電池盤７に搭載されたノイズフィルタ６６を通してノイズ成分を除去し、自動電圧調整器（ＡＶＲ）６７，６８にそれぞれ送出する機能を有する。制御電源回路６５は、制御基板５４を正常に動作させるための直流電圧を、当該制御基板５４に動作電圧として供給するものであり、また自動電圧調整器６７，６８は、蓄電池盤７内において各部を動作させるための直流１２Ｖと直流２４Ｖをそれぞれ生成するものである。特に自動電圧調整器６７で生成される直流１２Ｖの動作電圧は、電池システム４１の蓄電池制御ユニット３９だけでなく、動作電圧線６９を介して屋内のコントローラ６などにも供給されるようになっている。
【００４４】
動作電源部５５は、その他にＡＣ／ＤＣ変換回路５８を備えており、第２電源線１７に発生する交流電圧を、別な例えば直流５Ｖの動作電圧に変換する機能を有する。また第２電源線１７には、トランスとダイオードとにより構成される別なＡＣ／ＤＣ変換回路５９が設けられており、蓄電池システム１の運転が停止している状態でも、第２電源線１７からＡＣ／ＤＣ変換回路５９を介して制御電源回路６５やノイズフィルタ６６に直流電圧が送出されるようになっている。
【００４５】
パワーコンディショナ４２は、コントローラ６から制御線７１を介して伝送される制御信号と、蓄電池制御ユニット３９から制御線５１を介して伝送される二次電池３８の状態を認識した信号とにより、電力変換部５３の駆動ひいては二次電池３８の充放電を制御する充放電制御部として、蓄電池盤７内に設けられる。コントローラ６からの制御信号と、蓄電池制御ユニット３９から二次電池３８の状態を認識した信号は、何れもパワーコンディショナ４２に搭載した制御基板５４に送出され、これらの信号に基づく適切な指令信号が制御基板５４からゲート駆動回路６３に与えられ、ゲート駆動回路６３からＤＣ／ＡＣ変換回路６１とＤＣ／ＤＣ変換回路６２に、所定のパルス導通幅を有するパルス駆動信号をそれぞれ供給することで、二次電池３８への充電電流、或いは二次電池３８からの放電電流を適切に制御するようになっている。なお、ＤＣ／ＡＣ変換回路６１とＤＣ／ＤＣ変換回路６２との間には、平滑用のコンデンサ７２が接続される。
【００４６】
蓄電池盤７内において、制御基板５４は、第１電源線８に挿入接続した第１カレントトランス１５と、第２電源線１７に挿入接続した第２カレントトランス７３と、第２給電線３１に挿入接続した第３カレントトランス７４からの各検出信号を受け入れて、これらの第１電源線８、第２電源線１７および第２給電線３１を流れる電流量を各々監視する機能を有する。また制御基板５４は、停電発生を判断するための検出信号を出力する部品として、第２電源線１７に発生する電圧の有無を検出する第１リレー７５の他に、補助電源線２２に発生する電圧の有無を検出する第２リレー７６からの各検出信号を受け入れる機能を有すると共に、直流線路４６に設けた第１開閉器７７と、補助電源線２２に設けた第２開閉器７９と、第２電源線１７および第２給電線３１に設けた保守用切替器４４にそれぞれ接続して、これらの開閉器７７，７９および保守用切替器４４のオン、オフを個別に制御し得るように構成している。
【００４７】
特に制御基板５４は、第１リレー７５からの検出信号により停電が発生したと判断すると、切替リレー５６をオンからオフに切替えると同時に、切替リレー５７をオフからオンに切替えて、二次電池３８に蓄えられていた電力を、第２電源線１７ではなく第３給電線５２を経由した後、第２給電線３１を介して住宅内負荷Ｌ２に供給すると共に、第２給電線３１の一端との接続点よりも系統Ｓ側の第２電源線１７に挿入接続された停電開閉部４３の接点をオンからオフに切替えて、二次電池３８から第２電源線１７と第１電源線８を順に経て、系統Ｓに電力が逆潮流するのを防ぐように構成している。
【００４８】
前述のノイズフィルタ６６や、自動電圧調整器６７，６８や、第２カレントトランス７３や、第３カレントトランス７４や、第１リレー７５や、第２リレー７６や、第１開閉器７７や、第２開閉器７９は、何れも蓄電池盤７内に搭載される。それ以外に、蓄電池盤７内には第３リレー８１が搭載され、制御基板５４から第３リレー８１に与えられる制御信号によって、蓄電池盤７内の発熱部品を強制空冷するファン４５のオン、オフ動作を制御する構成になっている。
【００４９】
屋内に設けたコントローラ６は、前述の動作電圧線６９と制御線７１とにより、屋外に設置した蓄電池本体としての蓄電池盤７に有線で接続される。コントローラ６の詳細は後程説明するが、動作電圧線６９からの動作電圧によって動作し、制御線７１を通して蓄電池盤７のパワーコンディショナ４２に搭載した制御基板５４に、制御信号である充電信号や放電信号を送出する構成になっている。特に本実施形態では、コントローラ６から充電信号が送出される間、二次電池３８を充電信号で指示された所定の電流量で充電するように、ゲート駆動回路６３からパルス駆動信号を送出して電力変換部５３を動作させ、コントローラ６から放電信号が送出される間、二次電池３８から放電信号で指示された所定の電流量で放電するように、ゲート駆動回路６３からパルス駆動信号を送出して電力変換部５３を動作させる。これに対して、コントローラ６から充電信号や放電信号が何れも送出されない場合は、ゲート駆動回路６３からのパルス駆動信号は出力せず、二次電池３８も充放電を行なわないようになっている。
【００５０】
図２は、通常時における蓄電池システム１の概念的な構成を示している。同図において、太陽光発電システム２１は、第３電源線１９に挿入接続する第１切替接点８２と、補助電源線２２に挿入接続する第２切替接点８３をさらに備える。通常時には、太陽光発電システム２１の第１切替接点８２がオン状態となる一方で、第２切替接点８３がオフ状態となり、また蓄電池盤７に装着された停電開閉部４３がオン状態となる。そのため太陽光発電システム２１は、第３電源線１９を通して第１電源線８に交流２００Ｖを出力し、商用電力系統Ｓからの交流出力と共に、第１分電盤４のコンセントにつながる住宅内負荷Ｌ１と、第２分電盤５のコンセントにつながる住宅内負荷Ｌ２に、電力供給を行なうことが可能になる。このとき住宅内負荷Ｌ１には、第１電源線８と第１分岐線１６とを順に経由して、交流２００Ｖまたは交流１００Ｖが供給されると共に、住宅内負荷Ｌ２には、第１電源線８と、第２電源線１７と、第２給電線３１と、第２分岐線３５とを順に経由して、交流１００Ｖが供給される。
【００５１】
また、通常時に蓄電池盤７内で二次電池３８を充電制御することで、系統Ｓや太陽光発電システム２１からの電力を、第１電源線８と第２電源線１７とを順に経由して、二次電池３８に充電させることが可能になる。太陽光発電システム２１からの余剰電力は、二次電池３８の充電に消費利用できるだけでなく、系統Ｓ側に供給して売電することもできる。
【００５２】
さらに、通常時に蓄電池盤７内で二次電池３８を放電制御することで、二次電池３８に蓄えた電力を、第２電源線１７や第２給電線３１を通じて、住宅内負荷Ｌ１，Ｌ２に供給することができる。この場合、二次電池３８からは交流１００Ｖ系および交流２００Ｖ系を合せて、合計で最大３ｋＶＡの電力供給が可能となる。
【００５３】
図３は、停電時における蓄電池システム１の概念的な構成を示している。停電になると、太陽光発電システム２１の第１切替接点８２がオフ状態となる一方で、第２切替接点８３がオン状態となり、また蓄電池盤７に装着された停電開閉部４３がオフ状態となる。そのため、第１分電盤４のコンセントにつながる住宅内負荷Ｌ１は使用不可となるが、蓄電池盤７内で二次電池３８を放電制御することで、第２分電盤５のコンセントにつながる住宅用負荷Ｌ２にのみ、二次電池３８からＡＣ１００Ｖで最大２ｋＶＡの電力供給が可能になる。また、太陽光発電システム２１の停電時に発生するＡＣ１００Ｖの出力が、補助電源線２２を介して第２電源線１７と第２給電線３１に送出され、当該出力を住宅用負荷Ｌ２への電力供給と、二次電池３８の充電に利用することができる。本実施形態における太陽光発電システム２１は、最大で１．５ｋＶＡの出力能力を有するが、前述の第２カレントトランス７３および第３カレントトランス７４からの検出信号を読込んで、蓄電池盤７内で二次電池３８の充電電流を制御することで、例えばその中の５００ＶＡ分を二次電池３８の充電用に充て、残りの１ｋＶＡ分を住宅用負荷Ｌ２に消費させることができる。したがって、太陽光発電システム２１を利用して、停電中に住宅用負荷Ｌ２を使用しながら二次電池３８を充電することも可能となる。
【００５４】
次に、屋内に設置されるコントローラ６の外観構成について、図４および図５を参照しながら説明する。コントローラ６は、略矩形箱状の外殻をなす筐体８４と、この筐体８４の正面下部を覆う扉８５とを有し、扉８５の上端は筐体８４の下端に設けられた左右一対のヒンジ８６に取付けられ、このヒンジ８６を中心にして、扉８５が筐体８４に対し開閉自在に回動するようになっている。またコントローラ６は、例えば液晶表示器などの表示部８７と、複数のボタン８８Ａ〜８８Ｄからなる第１操作部８８と、第１操作部８８とは別な複数のボタン８９Ａ〜８９Ｆからなる第２操作部８９とを備え、表示部８７および第１操作部８８は、扉８５の開閉に拘らず常時露出するケース８５の正面上部に配置される一方、第２操作部８９は、扉８５を閉じたときに当該扉８５に覆われるケース８５の正面下部に配置される。
【００５５】
表示部８７には、図４や図５に示すような時刻や、二次電池３８の残量や、蓄電池システム１の運転状態などを主に示す動作モード画面の他に、複数のメニューの中から、特定のメニューを選択させるメニュー選択画面や、各種パラメータの設定を行なうための設定画面や、二次電池３８の充放電の推移を示す推移グラフ画面などが選択的に表示される。因みに、図４および図５の表示部８７は、通常時における動作モードの中で、特におすすめモードにおける一表示形態を示しており、ここには後述する動作モード名を表示するモード表示部８７Ａや、現在時刻を表示する現在時刻表示部８７Ｂや、二次電池３８の端子間電圧に相当する実際の残量を表示する残量表示部８７Ｃや、後述する電池残量記憶部１３４に設定記憶された二次電池３８の残量設定値を表示する設定残量表示部８７Ｄや、二次電池３８に対する充放電の状態を表示する動作表示部８７Ｅや、充電や放電の時刻や時間を表示する充放電時間表示部８７Ｆなどを備えている。
【００５６】
第１操作部８８は、主に操作頻度が比較的多く、特定の動作モードを指示する一乃至複数のボタン８８Ａ〜８８Ｄからなり、具体的には表示部８７の左側におすすめボタン８８Ａとアシストボタン８８Ｂを並設し、表示部８７の右側に充電ボタン８８Ｃと放電ボタン８８Ｄを並設して構成される。それに対して第２操作部８９は、操作頻度が比較的少なく、誤操作による影響の大きな一乃至複数のボタン８９Ａ〜８９Ｆからなり、具体的には上方向ボタン８９Ａと、決定ボタン８９Ｂと、下方向ボタン８９Ｃと、メニューボタン８９Ｄと、戻る／取消ボタン８９Ｅと、運転入／切ボタン８９Ｆとにより構成される。
【００５７】
なお本実施形態では、入力装置として押し釦式のボタン８８Ａ〜８８Ｄや、ボタン８９Ａ〜８９Ｆを示しているが、スマートフォンなどの電子情報機器端末で使用される静電容量スイッチや、表示部８７と一体化させたタッチパネルなどを代わりに採用してもよい。
【００５８】
第１操作部８８の各ボタン８８Ａ〜８８Ｄは、扉８５を開けなくても操作が可能な位置に設けられ、第２操作部８９の各ボタン８９Ａ〜８９Ｆは、扉８５を開けなければ操作ができない位置に設けられる。このことは、第１操作部８８の各ボタン８８Ａ〜８８Ｄが第２操作部８９の各ボタン８９Ａ〜８９Ｆよりも大型の形状を有することと相俟って、操作頻度の高いボタン８８Ａ〜８８Ｄの操作性を向上させ、併せて誤操作による蓄電システム１の停止を回避できる要因となる。
【００５９】
また特に本実施形態では、二次電池３８を充電運転する際に押動操作する充電ボタン８８Ｃと、二次電池３８を放電運転する際に押動操作する放電ボタン８８Ｄは、扉８５を開けなくても操作できる配置とする。このようにすることで、扉８５をいちいち開ける動作を伴わずに、充電ボタン８８Ｃや放電ボタン８８Ｄを操作して、使用者がすぐに二次電池３８を充電若しくは放電することが可能になる。その一方で、蓄電池システム１の運転を開始または停止させる際に押動操作する運転入／切ボタン８９Ｆは、扉８５を開けないと操作できない配置とする。このようにすることで、使用者が安易に蓄電池システム１の運転を停止できないようにして、二次電池３８を必要な時に確実に充放電させることが可能になる。
【００６０】
図６および図７は、太陽光発電システム２１などのＨＥＭＳ（Home Energy Management System：エネルギー管理システム）機器との間で通信を可能にするＩＴアダプタ９１，９２を示している。これらのＩＴアダプタ９１，９２は、無線または有線による無線通信手段（図示せず）との接続端末として、その何れか一方がコントローラ６に装着される。各ＩＴアダプタ９１，９２は、何れも略矩形箱状で、コントローラ６との電気的接続を可能にするコネクタ受け９３を一側に備えているが、有線による無線通信手段と接続する有線タイプのＩＴアダプタ９１には、有線ＬＡＮ（Local Area Network）用の接続部としてのＬＡＮ端子９４を備え、無線による無線通信手段と接続する無線タイプのＩＴアダプタ９２には、前述のＬＡＮ端子９４の代わりに、無線（例えばBluetooth：商標登録）用の送受信器９５が内蔵される。ＩＴアダプタ９１はＬＡＮ端子９４を設けているので、ＩＴアダプタ９２よりも厚みのある形状に形成される。
【００６１】
図８および図９は、有線タイプのＩＴアダプタ９１をコントローラ６に装着したものを示している。これらの各図において、前述のコントローラ６の筐体８４は、コントローラ６の外殻正面と外殻側面をなす有底状のケース９６と、ケース９６の開口を覆い、コントローラ６の外殻背面をなすカバー９７とにより構成され、筐体８４の内部には、前述の表示部８７や、第１操作部８８や、第２操作部８９などと電気的に接続する制御基板９８が組み込まれる。また筐体８４の内部において、制御基板９８にはコネクタ受け９９が設けられる。ＩＴアダプタ９１は、コントローラ６の背面に位置するカバー９７の外面に取付けられ、ＩＴアダプタ９１のコネクタ受け９３と制御基板９８のコネクタ受け９９との間にコネクタ付きケーブル１００を接続することで、ＩＴアダプタ９１とコントローラ６との間で双方向の信号伝送を可能にしている。なお、カバー９７には長孔１０１が設けられ、この長孔１０１にコネクタ付きケーブル１００を挿通することで、筐体８４の外部に設けたコネクタ受け９３と、筐体８４の内部に設けたコネクタ受け９９との電気的な接続を実現している。
【００６２】
前記ＩＴアダプタ９１をパソコンなどの他の機器と接続するには、筐体８４の外部に露出するＬＡＮ端子９４に、図示しないネットワークに接続したＬＡＮケーブル１０２を差し込めばよい。こうすることで、蓄電池システム１のコントローラ６と、ネットワークに接続するパソコンなどの機器との間で、蓄電池システム１に関する各種データのやり取りが可能になる。具体的には、例えばコントローラ６と同じ表示および操作の機能を、ローカルエリア内の機器のみならず、インターネットを通じて接続するローカルエリア外の機器に持たせることができる。
【００６３】
上記ＩＴアダプタ９１は、厚みのあるＬＡＮ端子９４を設ける関係上、これをコントローラ６に内蔵させようとすると、コントローラ６の厚みも大きく形成せざるを得ない。しかし、ＩＴアダプタ９１をコントローラ６の背面に設置することで、コントローラ６の厚みを薄く形成することができる。
【００６４】
一方、図１０では、無線タイプのＩＴアダプタ９２をコントローラ６に装着したものを示している。同図において、コントローラ６の構成は、図８および図９に示したものと共通するが、ＩＴアダプタ９２はコントローラ６の背面にではなく、コントローラ６の外部に露出しないように、筐体８４の内部に予め形成したＩＴアダプタ９２の格納空間１０４に内蔵される。また筐体８４の内部で、ＩＴアダプタ９２のコネクタ受け９３と制御基板９８のコネクタ受け９９との間に、コネクタ付きケーブル１００が接続され、ＩＴアダプタ９２とコントローラ６との間で双方向の信号伝送を可能にしている。
【００６５】
前記ＩＴアダプタ９２をパソコンなどの他の機器と接続するには、例えば当該機器にBluetooth用の通信アダプタを内蔵若しくは外付けで接続することで、蓄電池システム１のコントローラ６と他の機器との間で、蓄電池システム１に関する各種データのやり取りが可能になる。この場合も、例えばコントローラ６と同じ表示および操作の機能を他の機器に持たせることができる。
【００６６】
無線での送受信機９５を内蔵するＩＴアダプタ９２は、他にＬＡＮ端子９４を設ける必要がなく、その分形状を薄く形成できる。また、ＩＴアダプタ９２の格納部として設けた格納空間１０４は、ＩＴアダプタ９２との接続部であるコネクタ受け９９に隣接して設けられ、当該格納空間１０４にＩＴアダプタ９２を設けている。ＩＴアダプタ９２をコントローラ６の格納空間１０４に内蔵させることに加え、ＩＴアダプタ９２の近傍にコネクタ受け９９を配置することで、接続線であるコネクタ付きケーブル１００を無用に長くせずに、コントローラ６の薄型化を図ることができる。より好ましくは、コントローラ６側のコネクタ受け９９に対向して、ＩＴアダプタ９２側のコネクタ受け９３を配置することで、コネクタ付きケーブル１００の長さを最短にして、コントローラ６のコンパクト化を実現することができる。
【００６７】
コントローラ６のコネクタ受け９９は、コネクタ付きケーブル１００と着脱自在な構造を有し、このコネクタ付きケーブル１００を介してＩＴアダプタ９１，９２の何れかを接続する構成になっている。つまりコネクタ受け９９は、ＩＴアダプタ９１，９２の両方で共通に用いられ、部品点数の削減を図れる上に、有線タイプのＩＴアダプタ９１はコントローラ６の外部に取付けられるので、この点でもコントローラ６の薄型化を図ることができる。
【００６８】
次に、蓄電池システム１の主制御部となるコントローラ６の内部構成について、図１１〜図１３を参照しながら説明する。
【００６９】
図１１は、コントローラ６の制御系統に関係する構成の概要を示すブロック図であり、１２１は、コントローラ６内部の制御基板９８に実装されたＣＰＵや入出力回路などを含むコントローラ制御手段である。コントローラ制御手段１２１は、前述の表示部８７や、第１操作部８８や、第２操作部８９の他に、制御線７１を介してパワーコンディショナ４２に搭載した制御基板５４などが接続される。またコントローラ制御手段１２１は、現在時刻を計時するタイムカウンタとしての計時部１２２と、蓄電池システム１を動作させる上で必要な各種パラメータ（設定値）や、コントローラ制御手段１２１を所定の処理手順に沿って演算処理させるプログラムなどを記憶するメモリとしての記憶部１２３と、をそれぞれ備えている。計時部１２２や記憶部１２３は、コントローラ制御手段１２１と共に制御基板９８に実装される。
【００７０】
１２４は、コントローラ６の扉８５の開閉を検知する扉開閉検知部である。扉開閉検知部１２４は、例えば機械式、光学式或いは磁気式などの各種センサで構成され、扉８５の開閉に対応した電気的な検知信号をコントローラ制御手段１２１に送出する。コントローラ制御手段１２１は、扉開閉検知部１２４が扉８５を開けた状態を検知したときにのみ、第２操作部８９からの操作信号の入力を受け付ける構成となっている。なお、今後は特に断り書きのない限り、扉８５を開けた状態では、コントローラ制御手段１２１が第２操作部８９からの操作信号の入力を受け付けているものとする。
【００７１】
コントローラ制御手段１２１は、記憶部１２３のプログラム記憶領域から読出して、処理実行するプログラムの制御シーケンス上の機能として、パラメータ設定手段１２５と、充放電制御指示手段１２６と、表示部制御手段１２７と、をそれぞれ備えている。パラメータ設定手段１２５は、計時部１２２による現在時刻を可変調整する他に、記憶部１２３のパラメータ記憶領域に様々なパラメータを記憶設定するものである。充放電制御指示手段１２６は、記憶部１２３に記憶するパラメータや、制御基板５４から制御線７１を経由して伝送される各種情報に基づいて、前述の充電信号や放電信号を制御線７１に送出し、二次電池３８の充放電を制御するパワーコンディショナ４２が適切に動作するように、当該パワーコンディショナ４２の制御を行なうものである。表示部制御手段１２７は、表示部８７に対する表示形態を制御して、前述した動作モード画面や、メニュー選択画面や、設定画面などを表示させるものである。
【００７２】
図１２は、前記パラメータ設定手段１２５に関連するより詳細な構成を示している。同図において、本実施形態の記憶部１２３は、二次電池３８の充放電開始や充放電終了に関する予約すなわちタイマー時刻と、各タイマー機能の入切と、二次電池３８の充電時間と、二次電池３８の放電時間と、二次電池３８の残量と、蓄電池システム１の設置時における各種初期設定値とを、前述のパラメータとしてそれぞれ記憶保持している。より具体的には、記憶部１２３のパラメータ記憶領域には、二次電池３８の充電開始時刻と充電終了時刻、および二次電池３８の放電開始時刻と放電終了時刻をそれぞれ記憶すると共に、各タイマー機能の入切状態を記憶するタイマー時刻記憶部１３１と、二次電池３８の充電時間を記憶する充電時間記憶部１３２と、二次電池３８の放電時間を記憶する放電時間記憶部１３３と、二次電池３８の充電時における上限の充電残量（満充電量）や放電時における下限の放電残量（残量設定値）を記憶する電池残量記憶部１３４と、蓄電池システム１の設置時における各種初期設定値を記憶する初期設定値記憶部１３５とを備えている。
【００７３】
一方、前記パラメータ設定手段１２５は、計時部１２２とタイマー時刻記憶部１３１に対応するタイマー時刻設定部１４１と、充電時間記憶部１３２に対応する充電時間設定部１４２と、放電時間記憶部１３３に対応する放電時間設定部１４３と、電池残量記憶部１３４に対応する電池残量設定部１４４と、初期設定値記憶部１３５に対応する初期設定値設定部１４５とを備えている。
【００７４】
タイマー時刻記憶部１３１は、予め設定された充電開始時刻と充電終了時刻の他に、好ましくは予め設定された放電開始時刻と放電終了時刻を記憶するおすすめタイマー時刻記憶部１３１Ａと、任意の充電開始時刻と充電終了時刻を記憶すると共に、任意の放電開始時刻と放電終了時刻を記憶する第１タイマー時刻記憶部１３１Ｂと、第１タイマー時刻記憶部１３１Ｂとは別に、任意の充電開始時刻と充電終了時刻を記憶すると共に、任意の放電開始時刻と放電終了時刻を記憶する第２タイマー時刻記憶部１３１Ｃと、第１タイマーと第２タイマーのそれぞれについて、タイマー機能を有効にするか否かの入切状態を記憶するタイマー機能記憶部１３１Ｄと、により構成される。特にタイマー時刻に関し、第１タイマー時刻記憶部１３１Ｂと第２タイマー時刻記憶部１３１Ｃに記憶設定される各時刻は、何れもコントローラ制御手段１２１に対して読出しおよび書込みが可能であるが、おすすめタイマー時刻記憶部１３１Ａに記憶設定される各時刻は、コントローラ制御手段１２１に対して読出しができるものの、書込みができない構成になっている。また、それ以外のタイマー機能記憶部１３１Ｄに記憶される入切状態と、充電時間記憶部１３２に記憶設定される充電時間と、放電時間記憶部１３３に記憶設定される放電時間と、電池残量記憶部１３４に記憶設定される残量設定値と、初期設定値記憶部１３５に記憶設定される初期設定値は、何れも読出しおよび書込みができるようになっている。
【００７５】
パラメータ設定手段１２５は、扉８５を開けた状態で第２操作部８９を操作することにより、タイマー時刻設定部１４１、充電時間設定部１４２、放電時間設定部１４３、電池残量設定部１４４、初期設定値設定部１４５の何れかが動作する構成となっている。また、これらの動作に関連して、表示部制御手段１２７は、記憶部１２３に記憶する各パラメータを設定変更できるように、表示部８７の表示形態を制御する。具体的なパラメータの設定手順と、それに伴う表示部８７の表示形態については、後程詳しく説明する。
【００７６】
図１３は、充放電制御指示手段１２６に関連するより詳細な構成を示している。同図において、本実施形態の充放電制御指示手段１２６は、蓄電池システム１により実行可能な各動作モードに対応して、おすすめモード制御指示部１５１と、停電モード制御指示部１５２と、充電モード制御指示部１５３と、放電モード制御指示部１５４と、アシストモード制御指示部１５５と、タイマーモード制御指示部１５６とを、それぞれ備えている。
【００７７】
おすすめモード制御指示部１５１は、蓄電池システム１の開始時や、おすすめボタン８８Ａを押したときに動作するもので、おすすめタイマー時刻記憶部１３１Ａから読出した充電開始、充電終了、放電開始および放電終了の各時刻と、計時部１２２から取込んだ現在時刻との比較により、二次電池３８が充電または放電を行なうように、制御線７１を介してパワーコンディショナ４２の制御基板５４に充電信号または放電信号を送出する機能を有する。また、おすすめモード制御指示部１５１は、充電信号や放電信号の送出中に、制御基板５４側から二次電池３８の実際の残量（充電残量や放電残量）に関する情報を取込み、二次電池３８の実際の残量が電池残量記憶部１３４から読出した所定の満充電量や所定の残量設定値に達すると、充電信号や放電信号の送出を停止する機能をも備えている。
【００７８】
停電モード制御指示部１５２は、制御基板５４側から制御線７１を介して系統Ｓの停電が発生した旨の情報を受取ると動作するもので、同じく制御線７１を介して取込まれる太陽光発電システム２１の出力電力に応じて、二次電池３８が充電または放電を行なうように、制御基板５４に充電信号または放電信号を送出する機能を有する。
【００７９】
充電モード制御指示部１５３は、充電ボタン８８Ｃを押したときに動作するもので、充電時間記憶部１３２から読出した充電時間の設定条件に基づいて、二次電池３８が充電を行なうように、制御線７１を介してパワーコンディショナ４２の制御基板５４に充電信号を送出する機能を有する。また、本実施形態の充電モード制御指示部１５３は、二次電池３８に対する充電速度の異なる複数の充電パターンとして、充電ボタン８８Ｃを押したときから、充電時間記憶部１３２に設定記憶される充電時間だけ二次電池３８を充電させる通常充電パターンと、二次電池３８の実際の充電残量すなわち充電量が、電池残量記憶部１３４に設定記憶される所定の満充電量になるまで、二次電池３８を充電させる急速充電パターンによる制御指示機能を有している。
【００８０】
放電モード制御指示部１５４は、放電ボタン８８Ｄを押したときに動作するもので、放電時間記憶部１３２から読出した放電時間の設定条件に基いて、二次電池３８が放電を行なうように、制御線７１を介してパワーコンディショナ４２の制御基板５４に放電信号を送出する機能を有する。
【００８１】
アシストモード制御指示部１５５は、アシストボタン８８Ｂを押したときに動作するもので、アシストボタン８８Ｂを押してから所定時間、二次電池３８が放電を行なうように、制御線７１を介してパワーコンディショナ４２の制御基板５４に放電信号を送出する機能を有する。ここでのアシストモード制御指示部１５５は、一定時間（例えば３０分）経過前にアシストボタン８８Ｂが操作されたら、このアシストボタン８８Ｂの操作を受け付けて放電信号の送出を開始し、そこから所定時間（例えば１時間）放電信号を送出し続けて、二次電池３８を放電させてもよいし、図１３に示すように、計時部１２２から取込んだ現在時刻を利用して、アシストボタン８８Ｂの操作された時刻を、記憶部１２３の操作時刻記憶部１３６にその都度記憶させ、当該操作時刻記憶部１３６に記憶した操作時刻に基づいて、所定時刻になったら二次電池３８を放電させてもよい。
【００８２】
その他にアシストモード制御指示部１５５は、家庭内（住宅敷地内）で使用する電流値を検出部としての第１カレントトランス１５で測定し、ここから制御基板５４を経てアシストモード制御指示部１５５に送出される使用電流値が、所定値を超えてから二次電池３８を放電させてもよいし、アシストボタン８８Ｂを押してから所定時間以内、或いは予め設定された時刻までに、第１カレントトランス１５で検出した前記使用電流値が所定値を超えた場合に、二次電池３８を放電させてもよい。また、初期設定値記憶部１３５には予め家庭での契約電力や契約電流（契約アンペア）などのパラメータが設定記憶されており、この中から契約電力量を読出して、二次電池３８から契約電力量を超える分の電力を放電できるように、アシストモード制御指示部１５５が放電信号を送出してもよい。さらにアシストモード制御指示部１５５は、前述の使用電流値が所定値よりも大きい場合に、二次電池３８から通常時の定格出力である３ｋＶＡを放電できるように、放電信号を送出する機能を備えている。
【００８３】
タイマーモード制御指示部１５６は、第２操作部８９の操作によりタイマー機能を有効にさせたときに動作するもので、本実施形態では第１タイマーまたは第２タイマーの何れか若しくは両方を有効にすると、第１タイマー時刻記憶部１３１Ｂおよび／または第２タイマー時刻記憶部１３１Ｃから読出した充電開始、充電終了、放電開始および放電終了の各時刻と、計時部１２２から取込んだ現在時刻との比較により、二次電池３８が充電または放電を行なうように、制御線７１を介してパワーコンディショナ４２の制御基板５４に充電信号または放電信号を送出する機能を有する。
【００８４】
充放電制御指示手段１２６は、第１操作部８８や第２操作部８９の操作によって、おすすめモード制御指示部１５１、停電モード制御指示部１５２、充電モード制御指示部１５３、放電モード制御指示部１５４、アシストモード制御指示部１５５、タイマーモード制御指示部１５６の何れかが動作する構成となっている。また、これらの動作に関連して、表示部制御手段１２７は各動作モードにそれぞれ対応した表示部８７の表示形態を制御する。
【００８５】
したがって、同じ充放電のタイマー機能であるおすすめモード制御指示部１５１とタイマーモード制御指示部１５６は、お互いの動作が干渉しないように、すなわちおすすめボタン８８Ｃを操作しておすすめモード制御指示部１５１を有効に設定したときに、タイマーモード制御指示部１５６が無効になって動作せず、逆に第２操作部８９を操作してタイマーモード制御指示部１５６を有効に設定したときに、おすすめモード制御指示部１５１が無効になって動作しないように構成される。また、第２操作部８９の運転入／切ボタン８９Ｆによって、蓄電池システム１の運転を開始させた初期起動時には、おすすめボタン８８Ａを押したときの機能であるおすすめモード制御指示部１５１が自動的に設定されるように、充放電制御手段１２６を構成している。
【００８６】
次に、上述した各パラメータの設定手順について、図１４〜図２０に示す表示部８７の各表示形態を参照して説明する。
【００８７】
図４に示すようなコントローラ６の扉８５を開けた状態から、メニューボタン８９Ｄを押動操作すると、コントローラ制御手段１２１はメニューボタン８９Ｄからの操作信号を受け付け、図１４に示すメニュー選択画面を表示するように、表示部制御手段１２７から表示部８７に対する制御を行なう。実際に図１４におけるメニュー選択画面では、メニューの選択状態であることを示すメニュー選択表示部８７Ｇや、計時部１２２から読出した現在時刻を表示する現在時刻表示部８７Ｂや、メニューの一覧を表示するメニュー一覧表示部８７Ｈが、表示部８７内の適所に配置される。
【００８８】
メニュー一覧表示部８７Ｈは、図１４に示す「推移グラフ」、「タイマー設定」、「充電時間設定」、「放電時間設定」、「電池残量設定」、「時刻設定」の他に、上方向ボタン８９Ａ或いは下方向ボタン８９Ｃを押動操作することで、例えば図示しない「初期値設定」のメニューなどを、上下に並べて表示させることができる。また図１４では、「タイマー設定」のメニューだけが、他のメニューとは異なる白黒反転状態に表示されるが、前述の上方向ボタン８９Ａを押動操作すると反転状態の表示が上方向に移動し、逆に下方向ボタン８９Ｃを押動操作すると、反転状態の表示が上方向に移動する。そして、特定のメニューについて表示を反転させた状態で、決定ボタン８９Ｂを押動操作すると、その反転状態で表示されたメニューが選択され、以下に示す別な画面に移行する。
【００８９】
図１５は、「時刻設定」のメニューを選択したときの、表示部８７の表示形態を示している。「時刻設定」のメニューを選択すると、タイマー設定時刻部１４１による現在時刻の調整を行なうために、表示部制御手段１２７は図１５に示すような現在時刻設定のための設定画面を表示部８７に表示させる。実際に、図１５における現在時刻の設定画面では、何の設定状態であるのか（この場合は、「日時設定」）を示す設定状態表示部８７Ｉや、計時部１２２から読出した現在時刻を表示する現在時刻表示部８７Ｂや、設定しようとする日付や時刻を表示する現在時刻設定表示部８７Ｊが、表示部８７内の適所に配置される。
【００９０】
現在時刻設定表示部８７Ｊは、西暦、月、日、時、分に対応する数字が表示され、その中の一つが反転状態で表示される。反転状態の表示は、決定ボタン８９Ｂを押す毎に、西暦→月→日→時→分の順で移動し、反転状態で表示される数字は、上方向ボタン８９Ａまたは下方向ボタン８９Ｃを押動操作する毎に増減する。そして、分に対応する数字を反転状態で表示させ、そこから決定ボタン８９Ｂを押すと、現在時刻設定表示部８７Ｊに表示される日時や時刻が、その時点での現在時刻としてタイマー時刻設定部１４１から計時部１２２に記憶される。
【００９１】
図１６は、「タイマー設定」のメニューを選択したときの、表示部８７の表示形態を示している。「タイマー設定」のメニューを選択すると、タイマー時刻設定部１４１によるタイマーの各時刻の設定を行なうために、表示部制御手段１２７は図１６に示すようなタイマー設定のための設定画面を表示部８７に表示させる。特に本実施形態では、記憶部１２３に複数のタイマー機能に関係する時刻を記憶する領域（第１タイマー時刻記憶部１３１Ｂ、第２タイマー時刻記憶部１３１Ｃ）が設けられているため、先ず「タイマー設定」のメニューを選択すると、図１６（Ａ）に示すように、どのタイマーについての時刻を設定するのかを選択可能にするタイマー設定画面が表示され、ここで特定のタイマーを選択すると、図１６（Ｂ）に示すように、その選択したタイマーについての時刻を設定可能にするタイマー時刻設定画面が表示される。
【００９２】
実際に、図１６（Ａ）におけるタイマー設定画面では、前述の設定状態表示部８７Ｉや、現在時刻表示部８７Ｂの他に、選択可能なタイマーを表示するタイマー選択表示部８７Ｋが、表示部８７内の適所に配置される。また、図１６（Ｂ）におけるタイマー時刻設定画面では、設定状態表示部８７Ｉや、現在時刻表示部８７Ｂの他に、設定しようとする充電開始時刻、充電終了時刻、放電開始時刻、放電終了時刻について、それぞれの時、分を数字で示したタイマー時刻設定表示部８７Ｌと、設定に際して注意や警告を促すアラート表示部８７Ｍが、表示部８７内の適所に配置される。
【００９３】
図１６（Ａ）におけるタイマー選択表示部８７Ｋは、利用者が任意にタイマー時刻を設定できる２つのタイマーとして、第１タイマーに相当する「タイマー１」と、第２タイマーに相当する「タイマー２」が文字で表示され、その中の一つが反転状態で表示される。反転状態の表示は、上方向ボタン８９Ａまたは下方向ボタン８９Ｃを押動操作する毎に移動し、特定のタイマーに対応する文字（例えば、「タイマー１」）を反転状態で表示させ、そこから決定ボタン８９Ｂを押すと、図１６（Ｂ）に示す「タイマー１」に関連したタイマー時刻設定画面があらわれる。
【００９４】
図１６（Ｂ）の表示に移行すると、タイマー時刻設定表示部８７Ｌは、タイマー時刻設定部１４１により第１タイマー時刻記憶部１３１Ｂから読出した充電開始時刻、充電終了時刻、放電開始時刻、放電終了時刻が、それぞれ数字で表示されると共に、最初に充電開始時刻の時に対応する数字が反転状態で表示される。ここで上方向ボタン８９Ａまたは下方向ボタン８９Ｃを押動操作すると、反転状態で表示される数字が増減し、決定ボタン８９Ｂを押動操作すると、次の充電開始時刻の分に対応する数字に反転状態の表示が移動する。同じ要領で、必要に応じて上方向ボタン８９Ａまたは下方向ボタン８９Ｃを押動操作すれば、充電開始時刻の分に対応する数字を可変でき、決定ボタン８９Ｂを押動操作すると、次の充電終了時刻の時に対応する数字に反転状態の表示が移動する。
【００９５】
こうして、上方向ボタン８９Ａや下方向ボタン８９Ｃを適宜操作した後に、決定ボタン８９Ｂを押す毎に、充電開始時刻の時→充電開始時刻の分→充電終了時刻の時→充電終了時刻の分→放電開始時刻の時→充電開始時刻の分→放電終了時刻の時→放電終了時刻の分の順で反転状態の表示が移動するが、この一連の操作の途中で、タイマー時刻設定部１４１はタイマー時刻設定表示部８７Ｌに表示される設定予定の各時刻が、第１タイマー時刻記憶部１３１Ｂに設定記憶可能であるか否かを判定する。
【００９６】
具体的には、タイマー時刻設定表示部８７Ｌに表示される充電開始時刻から充電終了時刻までの時間と、放電開始時刻から放電終了時刻までの時間が重複している場合、タイマー時刻設定部１４１はタイマー時刻設定表示部８７Ｌに表示される時刻が第１タイマー時刻記憶部１３１Ｂに設定記憶できないと判定し、表示部制御手段１２７によりアラート表示部８７Ｍを表示部８７に表示させると共に、決定ボタン８９Ｂを押しても次の反転状態の表示に進めないようにする。図１６（Ｂ）は、そのような状態を示しており、利用者は必然的に上方向ボタン８９Ａや下方向ボタン８９Ｃで、放電開始時刻の時を例えば誤った「０６」から正しい「１３」に正しく修正することになる。
【００９７】
これに対して、タイマー時刻設定表示部８７Ｌに表示される充電開始時刻から充電終了時刻までの時間と、放電開始時刻から放電終了時刻までの時間が重複していなければ、上述した順でタイマー時刻設定表示部８７Ｌにおける反転状態の表示を進められるようにする。そして、放電終了時刻の分を反転状態で表示させた後に決定ボタン８９Ｂを押すと、タイマー時刻設定部１４１はタイマー時刻設定表示部８７Ｌに表示される各時刻を、タイマー設定時刻として第１タイマー時刻記憶部１３１Ｂに上書き更新すると共に、表示部８７の表示を図１６（Ａ）のタイマー設定画面に戻す。ここで、「タイマー２」の文字を反転状態で表示させ、決定ボタン８９Ｂを押せば、同じ要領でタイマー時刻設定表示部８７Ｌに表示される各時刻を、タイマー設定時刻として第２タイマー時刻記憶部１３１Ｃに上書き更新することができ、同様に表示部８７の表示が図１６（Ａ）のタイマー設定画面に戻る。
【００９８】
また、上記一連の操作の途中で、タイマー時刻設定表示部８７Ｌに表示される充電開始時刻と充電終了時刻が同時刻である場合は、これらの時刻を第１タイマー時刻記憶部１３１Ｂや第２タイマー時刻記憶部１３１Ｃに設定時刻として記憶するものの、タイマーモード制御指示部１５６は、二次電池３８に対するタイマー時刻での充電そのものを行なわない（無効化）ものとして判断する。同様に、タイマー時刻設定表示部８７Ｌに表示される放電開始時刻と放電終了時刻が同時刻である場合は、これらの時刻を第１タイマー時刻記憶部１３１Ｂや第２タイマー時刻記憶部１３１Ｃに設定時刻として記憶するものの、タイマーモード制御指示部１５６は、二次電池３８に対するタイマー時刻での放電そのものを行なわないものとして判断する。このように、使用者は必要に応じて簡単にタイマー時刻での充電や放電を無効に設定できるので、別な充電ボタン８８Ｃや放電ボタン８８Ｄの操作によって、使用者の希望する時刻に二次電池３８を自由に充放電させることが可能になる。
【００９９】
図１６（Ｂ）におけるタイマー時刻設定画面の特徴として、タイマー時刻の設定は、充電開始時刻、充電終了時刻、放電開始時刻、放電終了時刻の４つを、表示部８７に表示される一つの画面で一度に行えるようになっており、充電開始時刻から充電終了時刻までの時間と、放電開始時刻から放電終了時刻までの時間が重複していると、充電時間と放電時間の両方について、タイマー時刻の設定が行えないようになっている。こうすることで、使用者は一つのタイマー機能における充放電に関係した時刻の情報を一つの画面で直ちに取得できると共に、仮に誤った時刻を設定しようとしても、そこで誤った時刻がそのまま設定されることなく、充電と放電の両方で時刻を一度に修正でき、充放電の開始時刻や終了時刻に関する効率的な修正が可能になる。
【０１００】
図１７は、「タイマー設定」のメニューの階層下で表示部８７に表示されるタイマー切替設定画面の表示形態を示している。前記図１６に示すタイマー設定のための設定画面で、第２操作部８９の特定のボタンを押動操作すると、表示部制御手段１２７は図１７に示すようなタイマー切替設定画面を表示部８７に表示させる。
【０１０１】
実際に、図１７におけるタイマー切替設定画面では、前述の設定状態表示部８７Ｉや、現在時刻表示部８７Ｂの他に、第１タイマー時刻記憶部１３１Ｂに記憶保存された第１タイマーの充電開始時刻、充電終了時刻、放電開始時刻、放電終了時刻や、第２タイマー時刻記憶部１３１Ｃに記憶保存された第２タイマーの充電開始時刻、充電終了時刻、放電開始時刻、放電終了時刻と共に、第１タイマーの入切状態と、第２タイマーの入切状態を表示するタイマー入切状態表示部８７Ｎが、表示部８７内の適所に配置される。
【０１０２】
図１７におけるタイマー入切状態表示部８７Ｎは、利用者が２つのタイマー機能をそれぞれ有効または無効にして、単独または両方で利用できるようにするために、第１タイマーの入状態に相当する「タイマー１  入」と、第１タイマーの切状態に相当する「タイマー１  切」と、第２タイマーの入状態に相当する「タイマー２  入」と、第２タイマーの切状態に相当する「タイマー２  切」がそれぞれ文字で表示され、その中の一つが反転状態で表示される。反転状態の表示は、上方向ボタン８９Ａまたは下方向ボタン８９Ｃを押動操作する毎に移動し、特定の文字（例えば、「タイマー１  入」）を反転状態で表示させ、そこから決定ボタン８９Ｂを押すと、第１タイマーと第２タイマーのそれぞれを、反転状態の表示に対応した有効または無効に設定し、タイマー機能記憶部１３１Ｄにこれを上書き更新することができる。
【０１０３】
ここで、第１タイマーと第２タイマーを何れも使用可能な有効に設定したときに、第１タイマーで設定した充電時間すなわち充電開始時刻から充電終了時刻までの時間や、放電時間すなわち放電開始時刻から放電終了時刻までの時間が、第２タイマーで設定した充電時間や放電時間と重複していれば、タイマーモード制御指示部１５６は、第１タイマーの充電時間と放電時間を優先して、二次電池３８に対する充放電制御を、パワーコンディショナ４２に行なわせるようになっている。
【０１０４】
図１８は、「充電時間設定」のメニューを選択したときの、表示部８７の表示形態を示している。前述の図１４に示すメニュー選択画面で、第２操作部８９により「充電時間設定」のメニューを選択すると、充電時間設定部１４２による充電時間の設定を行なうために、表示部制御手段１２７は図１８に示すような充電時間設定のための設定画面を表示部８７に表示させる。実際に、図１８における充電時間の設定画面では、前述の設定状態表示部８７Ｉや、現在時刻表示部８７Ｂの他に、設定しようとする充電時間を表示する充電時間設定表示部８７Ｏが、表示部８７内の適所に配置される。
【０１０５】
図１８における充電時間設定表示部８７Ｏは、複数の設定可能な充電時間として、「１時間」、「２時間」、「３時間」、「４時間」、「フル充電」なる文字や数字が表示され、その中の一つが反転状態で表示される。この中の「フル充電」は、二次電池３８がほぼ満充電になるまでの充電時間を設定するものである。したがって、ここでいう充電時間の設定とは、決められた時間だけではなく、二次電池３８がある状態に達するまでの不定の時間の設定をも含む。反転状態の表示は、上方向ボタン８９Ａまたは下方向ボタン８９Ｃを押動操作する毎に移動し、特定の文字や数字（例えば、「２時間」）を反転状態で表示させ、そこから決定ボタン８９Ｂを押すと、充電時間を反転状態に対応した２時間に設定し、充電時間記憶部１３２にこれを上書き更新することができる。
【０１０６】
図１９は、「放電時間設定」のメニューを選択したときの、表示部８７の表示形態を示している。前述の図１４に示すメニュー選択画面で、第２操作部８９により「放電電時間設定」のメニューを選択すると、放電時間設定部１４３による放電時間の設定を行なうために、表示部制御手段１２７は図１９に示すような放電時間設定のための設定画面を表示部８７に表示させる。実際に、図１９における放電時間の設定画面では、前述の設定状態表示部８７Ｉや、現在時刻表示部８７Ｂや、アラート表示部８７Ｍの他に、設定しようとする放電時間を表示する放電時間設定表示部８７Ｐが、表示部８７内の適所に配置される。
【０１０７】
図１９における放電時間設定表示部８７Ｐは、複数の設定可能な放電時間として、「１時間」、「２時間」、「３時間」、「４時間」、「使い切り」なる文字や数字が表示され、その中の一つが反転状態で表示される。この中の「使い切り」は、二次電池３８の残量がほぼ空状態になるまでの放電時間を設定するものである。したがって、ここでいう放電時間の設定とは、決められた時間だけではなく、二次電池３８がある状態に達するまでの不定の時間の設定をも含む。反転状態の表示は、上方向ボタン８９Ａまたは下方向ボタン８９Ｃを押動操作する毎に移動し、特定の文字や数字（例えば、「２時間」）を反転状態で表示させ、そこから決定ボタン８９Ｂを押すと、放電時間を反転状態の表示に対応した２時間に設定し、放電時間記憶部１３３にこれを上書き更新することができる。
【０１０８】
図２０は、「電池残量設定」のメニューを選択したときの、表示部８７の表示形態を示している。前述の図１４に示すメニュー選択画面で、第２操作部８９により「電池残量設定」のメニューを選択すると、電池残量設定部１４４による残量設定値の設定を行なうために、表示部制御手段１２７は図２０に示すような二次電池３８の残量設定のための設定画面を表示部８７に表示させる。実際に、図２０における電池残量の設定画面では、前述の設定状態表示部８７Ｉや、現在時刻表示部８７Ｂや、現時点での二次電池３８の残量を示す残量表示部８７Ｃや、現時点で電池残量記憶部１３４に記憶保存される二次電池３８の残量設定値を示す設定残量表示部８７Ｄの他に、設定しようとする二次電池３８の残量設定値を表示する残量設定表示部８７Ｑが、表示部８７内の適所に配置される。
【０１０９】
図２０における残量設定表示部８７Ｑは、複数の設定可能な残量設定値として、「最大」、「レベル５」、「レベル４」、「レベル３」、「レベル２」、「レベル１」の他に、ここには図示していない「レベル０」なる文字や数字が表示され、その中の一つが反転状態で表示される。この中の「最大」は、「レベル５」よりも多い残量設定値を意味し、「レベル０」は「レベル１」よりも少ないほぼ空状態（但し完全に０ではなく、二次電池３８の使用下限限界値に相当する）の残量設定値を意味する。反転状態の表示は、上方向ボタン８９Ａまたは下方向ボタン８９Ｃを押動操作する毎に移動し、特定の文字や数字（例えば、「レベル５」）を反転状態で表示させ、そこから決定ボタン８９Ｂを押すと、二次電池３８の残量設定値を「レベル５」に対応する数値に設定し、電池残量記憶部１３４にこれを上書き更新することができる。
【０１１０】
特にここでは、表示部８７を見ながら、第２操作部８８により残量設定値を複数の表示の中から一つ設定できるようになっている。表示部８７は、二次電池３８の実際の残量と設定された残量設定値とを、残量表示部８７Ｃと設定残量表示部８７Ｄで同時に表示するようになっており、利用者はコントローラ６を設置した屋内で、設定された二次電池３８の残量設定値と、現時点での二次電池３８の実際の残量とを、表示部８７からの表示により一目で理解できる。なお、残量表示部８７Ｃや設定残量表示部８７Ｄを同時に表示する構成は、後述する図２１〜図２６の表示形態でも共通して設けられる。
【０１１１】
また、前記図１９の放電時間設定画面では、「設定残量まで放電」なる文字のアラート表示部８７Ｍが表示部８７に設けられている。これは二次電池３８の放電時において、実際の二次電池３８の残量が電池残量記憶部１３４に設定記憶される残量設定値にまで達したら、放電時間記憶部１３３に設定記憶される放電時間に拘わらず、放電を中止することを事前に知らせるためのものである。
【０１１２】
次に、上記構成における各動作モードの作用について、図２１〜図２６に示す表示部８７の表示画面を参照しながら説明する。
【０１１３】
蓄電池システム１の運転を停止している状態では、本体である蓄電盤７内の停電開閉部４３と保守用切替器４４が何れもオンしており、系統Ｓまたは太陽光発電システム２１からの交流電力が、第１電源線８→第２電源線１７→ＡＣ／ＤＣ変換回路５９の経路で直流電力に変換され、この直流電力が制御電源回路６５に印加され、制御基板５４に所定の動作電圧を供給すると共に、ノイズフィルタ６６から自動電圧調整器６７，６８にもそれぞれ印加されることで、蓄電池盤７内で安定した直流１２Ｖと直流２４Ｖが生成される。特に自動電圧調整器６７からの直流１２Ｖは、動作電圧線６９を経由して屋内のコントローラ６に、コントローラ制御手段１２１の動作電圧として供給される。したがって、蓄電池システム１の運転停止時にも、コントローラ制御手段１２１は扉開閉検知部１２４からの検知信号や、第２操作部８９からの操作信号を認識できるようになっている。
【０１１４】
また非常時を除いて、第２分電盤５内の接点３３は常にオフし、接点３４は常にオンしているので、蓄電池システム１の運転停止時には、系統Ｓまたは太陽光発電システム２１からの交流電力が、第１電源線８から第１分電盤４のコンセントにつながる住宅内負荷Ｌ１に供給されると共に、蓄電池盤７内で第２電源線１７から第２給電線３１を通って、第２分電盤５のコンセントにつながる住宅内負荷Ｌ２に供給される。
【０１１５】
ここで、蓄電池システム１の運転を停止状態から開始させるには、屋内に設置したコントローラ６の扉８５を開けて、運転入／切ボタン８９Ｆを押す。するとコントローラ制御手段１２１は、運転入／切ボタン８９Ｆからの操作信号を受け付けて、おすすめモード制御指示部１５１による動作モード（おすすめモード）を直ちに開始させると共に、表示部制御手段１２７によるおすすめモードに対応した表示形態を表示部８７に表示させる。おすすめモードは、予め固定に設定されている充放電の開始時刻や終了時刻に二次電池３８の充放電を行なわせるもので、おすすめモード制御指示部１５１は、おすすめタイマー時刻記憶部１３１Ａから読出した充電開始、充電終了、放電開始および放電終了の各時刻と、計時部１２２から取込んだ現在時刻との比較により、二次電池３８が充電または放電を行なうように、制御線７１を介してパワーコンディショナ４２の制御基板５４に充電信号または放電信号を送出する。
【０１１６】
図２１は、おすすめモードにおいて、二次電池３８の充電中における表示部８７の表示形態を示している。同図において、充放電時間表示部８７Ｆには、おすすめタイマー時刻記憶部１３１Ａから読出した充電開始、充電終了、放電開始および放電終了の各時刻が、それぞれ「２３：００」、「０７：００」、「１３：００」、「１６：００」であることが表示されている。蓄電池システム１に慣れていない使用者のために、おすすめタイマー時刻記憶部１３１Ａに予め設定記憶される充電開始時刻と充電終了時刻は、系統Ｓを管理する電力会社における電気料金の安い時間帯内とし、放電開始時刻と放電終了時刻は、電気料金の高い時間帯内とするのが好ましい。
【０１１７】
おすすめモード制御指示部１５１は、おすすめタイマー時刻記憶部１３１Ａから読出した充電開始時刻が、計時部１２２から取込んだ現在時刻と一致したら、所定の充電電流で二次電池３８を充電するように、蓄電池盤７内の制御基板５４に対して充電信号を送出する。制御基板５４は、第１リレー７５からの検出信号に基づき、系統Ｓが停電していないと判断すれば、切替リレー５６をオンにする一方で、切替リレー５７をオフにしているので、コントローラ６から充電信号が送出されると、系統Ｓや太陽光発電システム２１から蓄電池盤７内の第２電源線１７を介して送られてくる交流電力を、電力変換部５３で直流電力に変換して二次電池３８に供給できるように、蓄電池制御ユニット３９から制御線５１を通して送られてくる信号によって、実際の二次電池３８の状態を認識しながら、ゲート駆動回路６３に適切な充電指令信号を供給する。
【０１１８】
ゲート駆動回路６３は、この充電指令信号を受けて、所定のパルス導通幅を有するパルス駆動信号をＤＣ／ＡＣ変換回路６１とＤＣ／ＤＣ変換回路６２にそれぞれ供給し、ＤＣ／ＡＣ変換回路６１に印加された交流電力を直流電力に変換してＤＣ／ＤＣ変換回路６２から出力する。二次電池３８の状態を監視する蓄電池制御ユニット３９は、蓄電池モジュールＭＤＬ１〜ＭＤＬ６に異常がない限り、開閉器４８，４９をオン状態にしており、また制御基板５４も第１開閉器７７をオン状態にしているので、ＤＣ／ＤＣ変換回路６２からの直流電力が、直流線路４６を介して二次電池３８に供給されることで、各蓄電池モジュールＭＤＬ１〜ＭＤＬ６が所定の充電電流で充電される。
【０１１９】
同様に、おすすめモード制御指示部１５１は、おすすめタイマー時刻記憶部１３１Ａから読出した放電開始時刻が、計時部１２２から取込んだ現在時刻と一致したら、所定の放電電流で二次電池３８を放電するように、制御基板５４に対して放電信号を送出する。制御基板５４は、コントローラ６から放電信号が送出されると、二次電池３８に蓄えた直流電力を電力変換部５３で交流電力に変換して第２電源線１７に送出し、そこから第１電源線８を介して住宅用負荷Ｌ１に交流電力を供給し、第２給電線３１を介して住宅用負荷Ｌ２に交流電力を供給できるように、蓄電池制御ユニット３９から制御線５１を通して送られてくる信号によって、実際の二次電池３８の状態を認識しながら、ゲート駆動回路６３に適切な放電指令信号を供給する。
【０１２０】
ゲート駆動回路６３は、この放電指令信号を受けて、所定のパルス導通幅を有するパルス駆動信号をＤＣ／ＡＣ変換回路６１とＤＣ／ＤＣ変換回路６２にそれぞれ供給し、ＤＣ／ＤＣ変換回路６２に印加された直流電力を交流電力に変換してＤＣ／ＡＣ変換回路６１から出力する。ここでも蓄電池モジュールＭＤＬ１〜ＭＤＬ６に異常がない限り、開閉器４８，４９はオン状態になっており、また第１開閉器７７もオン状態となっているので、二次電池３８からの直流電力が直流線路４６を介してＤＣ／ＤＣ変換回路６２に印加される。
【０１２１】
おすすめモード制御指示部１５１によるおすすめモードで、二次電池３８が充電中になると、表示部制御手段１２７は図２１に示すような表示が行われるように表示部８７を制御する。ここでは、電源電力から二次電池３８に充電が行われていることを、動作表示部８７Ｅにより表示する他に、制御基板５４から制御線７１を介して送られてくる二次電池３８の実際の残量に関する情報を、残量表示部８７Ｃにより表示し、さらに電池残量記憶部１３４に記憶保存される二次電池３８の残量設定値を、設定残量表示部８７Ｄにより表示する。なお二次電池３８の放電中は、図２１における動作表示部８７Ｅだけが、例えば後述する図２４に示すような、二次電池３８から住宅内負荷Ｌ１，Ｌ２に電力消費を行なう表示形態に切替わる。
【０１２２】
おすすめモード制御指示部１５１は、前記充電信号の送出中に、制御基板５４から制御線７１を介して送られてくる二次電池３８の実際の充電残量（充電量）が、予め設定した上限値であるほぼ満充電に達したか否かを判断する。仮に、計時部１２２から取込んだ現在時刻が、おすすめタイマー時刻記憶部１３１Ａから読出した充電終了時刻になるまでの間に、二次電池３８の実際の充電量がほぼ満充電に達したと判断したら、二次電池３８の充電を停止させるために、充電信号の送出を直ちに終了する。これにより、二次電池３８に対する過充電を防止できる。
【０１２３】
一方、現在時刻が充電終了時刻になるまでの間に、二次電池３８の実際の充電量がほぼ満充電に達しなくても、現在時刻が充電終了時刻になったら、そこで充電信号の送出を終了する。これにより、深夜電力の安い時間帯を過ぎた後に、高い電気料金で二次電池３８が充電されるのを確実に防止できる。
【０１２４】
また、おすすめモード制御指示部１５１は、前記放電信号の送出中に、制御基板５４から制御線７１を介して送られてくる二次電池３８の実際の放電残量が、予め設定した下限値としての所定残量に達したか否かを判断する。仮に、計時部１２２から取込んだ現在時刻が、おすすめタイマー時刻記憶部１３１Ａから読出した放電終了時刻になるまでの間に、二次電池３８の実際の残量が設定残量にまで低下したと判断したら、二次電池３８からの放電を停止させるために、充電信号の送出を直ちに終了する。これにより、二次電池３８を必要以上に放電することによる弊害を排除できる。
【０１２５】
一方、現在時刻が放電終了時刻になるまでの間に、二次電池３８の実際の残量が所定残量にまで低下しなくても、現在時刻が放電終了時刻になったら、そこで放電信号の送出を終了して、必要以上の二次電池３８からの放電を回避する。
【０１２６】
なお、上述のおすすめモード制御指示部１５１によるおすすめモードは、蓄電池システム１の起動時に有効になって、その一連の動作を開始する他、別のモードでの動作中に、特定のスイッチであるおすすめボタン８８Ａを操作することでも有効になる。この場合、タイマーモード制御指示部１５６によるタイマーモードは、機能しないように無効化される。
【０１２７】
次に、タイマーモード制御指示部１５６によるタイマーモードの動作を説明する。タイマーモードは、任意に設定した充放電の開始時刻や終了時刻に二次電池３８の充放電を行なわせるもので、これは前記図１７におけるタイマー入切状態表示部８７Ｎで、第１タイマーおよび／または第２タイマーを入状態に表示させた状態で、決定ボタン８９Ｂを押動操作すると有効になり、その動作が開始する。このとき、それまで有効に機能していたおすすめモードは、無効化されて機能しなくなる。
【０１２８】
タイマーモードで、二次電池３８が充電中になると、表示部制御手段１２７は図２２に示すような表示が行われるように表示部８７を制御する。ここでは特に、電源電力から二次電池３８に充電が行われていることを、動作表示部８７Ｅにより表示する他に、制御基板５４から制御線７１を介して送られてくる二次電池３８の実際の残量に関する情報を、残量表示部８７Ｃにより表示し、さらに電池残量記憶部１３４に記憶保存される二次電池３８の残量設定値を、設定残量表示部８７Ｄにより表示する。また、タイマー機能記憶部１３１Ｄから読出した入切状態により、入状態のタイマーに対応する充電開始、充電終了、放電開始および放電終了の各時刻が、充放電時間表示部８７Ｆに表示される。例えば図２２では、第１タイマーが入状態の時に、第１タイマー時刻記憶部１３１Ｂから読出した充電開始、充電終了、放電開始および放電終了の各時刻が、それぞれ「１２：３４」、「１５：３４」、「０２：３４」、「０５：３４」として、充放電時間表示部８７Ｆに表示される。なお図示しないが、二次電池３８の放電中は、図２２における動作表示部８７Ｅだけが、例えば後述する図２４に示すような、二次電池３８から住宅内負荷Ｌ１，Ｌ２に電力消費を行なう表示形態に切替わる。
【０１２９】
タイマーモードでは、充電信号や放電信号の送出が、タイマーモード制御指示部１５６から所定のタイミングで行われる以外は、上述したおすすめモード制御指示部１５１と全く同じ内容で、蓄電池盤７に対して二次電池３８の充放電を行わせる。これは他のモードでも同じであり、今後、二次電池３８の充放電に関する動作説明は、重複を避けるため極力省略する。
【０１３０】
タイマーモード制御指示部１５６は、第１タイマー時刻記憶部１３１Ｂに設定記憶する充電開始時刻と充電終了時刻が同時刻であれば、現在時刻が充電開始時刻になっても充電信号を送出せず、二次電池３８が充電されないようにし、第１タイマー時刻記憶部１３１Ｂに設定記憶する放電開始時刻と放電終了時刻が同時刻であれば、現在時刻が放電開始時刻になっても放電信号を送出せず、二次電池３８が放電されないようにする。そして、異なる時刻に設定された充電開始時刻と充電終了時刻、または放電開始時刻と放電終了時刻についてのみ、充電信号や放電信号を送出して、二次電池３８を充電または放電するようにする。これは、第２タイマー時刻記憶部１３１Ｃに設定記憶する充電開始時刻と充電終了時刻、および放電開始時刻と放電終了時刻でも同じである。
【０１３１】
また、タイマーモード制御指示部１５６は、タイマー時刻設定部１４１で入状態に設定した第１タイマーと第２タイマーの一方または両方のタイマー時刻を利用して、二次電池３８を充放電させることができる。特に、第１タイマーと第２タイマーの両方を有効にして使用する場合、タイマーモード制御指示部１５６は、タイマー機能記憶部１３１Ｄに記憶設定される入切状態から、第１タイマー時刻記憶部１３１Ｂと第２タイマー時刻記憶部１３１Ｃに記憶設定される充放電の開始時刻と放電時刻をそれぞれ読み出して、制御基板５４に充電信号や放電信号を所定のタイミングで送出するが、第１タイマーで設定した充電時間や放電時間が、第２タイマーで設定した充電時間や放電時間と重複していれば、第１タイマーを優先させて、第１タイマー時刻記憶部１３１Ｂに記憶設定される充放電の開始時刻と放電時刻だけで、制御基板５４に充電信号や放電信号を所定のタイミングで送出する。
【０１３２】
次に、充電モード制御指示部１５３による充電モードの動作を説明する。充電モードは、おすすめモードやタイマーモードで設定される充電開始時刻や充電終了時刻に依らず、使用者の意志で二次電池３８を充電させるために、おすすめモードやタイマーモードの動作中に、充電ボタン８８Ｃを押動操作することにより行なわれるものである。
【０１３３】
より詳しくは、充電モード制御指示部１５３は、二次電池３８に対する充電速度の異なる複数の充電パターンとして、二次電池３８を例えば０．２Ｃで充電させるための通常充電パターンと、通常充電パターンよりも充電速度が少なくとも２倍以上速く、二次電池３８を例えば０．５Ｃで充電させるための急速充電パターンとを備えている。コントローラ６には、通常充電パターンでの二次電池３８の充電時間を設定して、充電時間記憶部１３２に記憶する充電時間設定部１４２を備えており、通常充電パターンでは、充電時間記憶部１３２に記憶設定された充電時間だけ二次電池３８が充電される一方、急速充電パターンでは、二次電池３８がほぼ満充電になるまで充電される。そして、充電ボタン８８Ｃの操作入力の違いに応じて、例えば充電ボタン８８Ｃを一回短押し操作した場合に、複数の充電パターンの中で通常充電パターンの受け付けが指示され、充電ボタン８８Ｃを一回長押し操作した場合に、複数の充電パターンの中で急速充電パターンの受け付けが指示されるようになっている。
【０１３４】
充電モード制御指示部１５３は、充電ボタン８８Ｃの操作指示により通常充電パターンを受け付けると、所定の充電電流で二次電池３８を充電するように、蓄電池盤７内の制御基板５４に対して充電信号の送出を開始する。それと共に充電モード制御指示部１５３は、充電時間記憶部１３２に設定記憶される充電時間を読出して、この充電時間に対応する充電の終了予定時刻が、計時部１２２でカウントされる現在時刻になるまで、充電信号の送出を継続する。そして、充電の終了予定時刻が現在時刻になったら、充電信号の送出を終了して、元のおすすめモードやタイマーモードに移行する。但し、通常充電パターンによる二次電池３８の充電中に、充電ボタン８８Ｃの長押しによる急速充電パターンの受け付けが指示されると、充電モード制御指示部１５３は急速充電パターンを受け付けて、この急速充電パターンによる二次電池３８の充電を行なわせる。
【０１３５】
また、充電モード制御指示部１５３は、充電ボタン８８Ｃの操作指示により急速充電パターンを受け付けると、所定の充電電流で二次電池３８を充電するように、蓄電池盤７内の制御基板５４に対して充電信号の送出を開始する。それと共に充電モード制御指示部１５３は、制御基板５４から制御線７１を介して送られてくる二次電池３８の実際の充電量が、ほぼ満充電に達するまで、充電信号の送出を継続する。そして、二次電池３８の実際の充電量がほぼ満充電に達したら、充電信号の送出を終了して、元のおすすめモードやタイマーモードに移行する。
【０１３６】
上記一連の手順で、充電モード制御指示部１５３は二次電池３８の充電中に、第１カレントトランス１５からの検出信号を利用して、住宅内負荷Ｌ１，Ｌ２や蓄電池システム１を含む家庭内の総電流量を測定し、この家庭内で消費される総電流量が初期設定記憶部１３５から読出した当該家庭の契約電流量よりも多くなる場合には、急速充電パターンによる充電は行わせず、代わりに通常充電パターンによる充電を二次電池３８に行なわせる。また、充電ボタン８８Ｃの操作により急速充電パターンの受け付けが指示された場合であっても、前記家庭内の総電流量を測定しておき、この家庭内で消費される総電流量が初期設定記憶部１３５から読出した当該家庭の契約電流量よりも多ければ、充電モード制御指示部１５３は通常充電パターンに切替えて二次電池３８への充電を行なわせ、逆に総電流量が契約電流量以下の値である所定値以下になれば、急速充電パターンで二次電池３８への充電を行なわせてもよい。さらに別な例として、充電ボタン８８Ｃの操作により急速充電パターンの受け付けが指示された場合であっても、同じく家庭内の総電流量を測定しておき、総電流量が契約電流量よりも多ければ、充電モード制御指示部１５３は急速充電パターンによる二次電池３８の充電を中断し、総電流量が契約電流量以下の値である所定値以下になった場合に、急速充電パターンによる二次電池３８の充電を再開させてもよい。何れにせよ、急速充電パターンによる二次電池３８の充電で、家庭内のブレーカである契約ブレーカ１１が落ちて、回路が遮断されないように制御することが可能になる。
【０１３７】
本実施形態では、二次電池３８に対する最大充電電流が異なる複数の充電モードとして、上述の通常充電パターンと急速充電パターンを備えているが、これらの通常充電パターンや急速充電パターンでは、二次電池３８の充電運転中に、第１カレントトランス１５で検出される住宅敷地内の消費電流が、初期設定記憶部１３５から読出した契約電流を超えないように、コントローラ６からの充電信号に基づき、パワーコンディショナ４２で二次電池３８への充電電流を制御する。これにより、二次電池３８の充電中に契約ブレーカ１１が落ちるなどの不具合を防止できると共に、契約電流を考慮した二次電池３８への充電制御が可能になる。また、特に通常充電パターンよりも最大充電電流の多い急速充電パターンでは、契約電流を超えない設定範囲の中で、最大限の充電電流により二次電池３８の充電を行なうので、二次電池３８の充電時間を必要以上に長引かせないようにすることができる。
【０１３８】
二次電池３８の充電運転において、住宅敷地内の消費電流が契約電流を超えないようにするには、消費電流が契約電流を超えると、例えば急速充電モードを通常充電モードに切替えるなどして、二次電池３８の充電量を減少させる。これにより、二次電池３８への充電を停止させることなく、消費電流が契約電流を超えないように、二次電池３８への充電電流を制御することができる。この場合、消費電流が前記契約電流を超えなくなると、充電電流が最大となる急速充電モードに再び変更して、二次電池３８を急速充電するのが好ましく、消費電流が契約電流を超えない範囲で、二次電池３８の充電時間を極力長引かせないようにすることができる。
【０１３９】
また別な例として、消費電流が契約電流を超えると、充電信号の送出を中断して、消費電流が契約電流を超えなくなるまで、二次電池３８の充電そのものを停止させてもよく、この場合は消費電流が契約電流を速やかに超えなくなるようにして、二次電池３８への充電電流を制御することができる。
【０１４０】
初期設定値記憶部１３５を含めた記憶部１２３は、ＣＰＵなどを含むコントローラ制御手段１２１と共に、コントローラ６内の制御基板９８に設けられる。コントローラ６の実質的な制御部であるコントローラ制御手段１２１と記憶部１２３を、同一のコントローラ６内に設けることで、記憶部１２３に記憶された情報をコントローラ制御手段１２１が素早く読み出して演算した後、充電信号や放電信号をパワーコンディショナ４２に送ることができ、結果的に高速な処理が実現される。
【０１４１】
通常充電パターンになると、表示部制御手段１２７は図２３に示すような表示が行われるように表示部８７を制御する。ここでは特に、通常充電パターンでの運転中であることを、「通常運転中」なる文字でアラート表示部８７Ｍにより表示する他に、充電時間記憶部１３２に記憶保存される充電時間が、充放電時間表示部８７Ｆに表示される。例えば図２３では、設定した充電時間が「３時間」であり、「１２：３４」から「１５：３４」の間に充電を行なうことが、充放電時間表示部８７Ｆで表示される。
【０１４２】
次に、放電モード制御指示部１５４による放電モードの動作を説明する。放電モードは、おすすめモードやタイマーモードで設定される放電開始時刻や放電終了時刻に依らず、使用者の意志で二次電池３８を強制放電させるために、おすすめモードやタイマーモードの動作中に、放電ボタン８８Ｄを押動操作することにより行なわれるものである。
【０１４３】
より詳しくは、コントローラ６は、二次電池３８の残量設定値を設定して電池残量記憶部１３４に記憶させる残量設定手段としての電池残量設定部１４４と、タイマーによる放電時刻を放電開始時刻と放電終了時刻により設定するタイマー放電時刻設定手段としてのタイマー時刻設定部１４３と、放電開始を指示するボタンとしての放電ボタン８８Ｄとを備えており、タイマーによる自動放電時には、おすすめモード制御指示部１５１やタイマーモード制御指示部１５６によって、例えば第１タイマー時刻記憶部１３１Ｂに設定記憶された放電開始時刻と放電終了時刻を読出し、この放電時刻の間の放電中に、制御基板５４から制御線７１を介して送られてくる二次電池３８の実際の残量が、電池残量記憶部１３４から読出した残量設定値に低下するまで、放電信号の送出を継続する一方で、二次電池３８の実際の残量が残量設定値になると、放電信号の送出を終了する。これは、前記おすすめモードやタイマーモードでも説明した通りである。
【０１４４】
一方、放電モード制御指示部１５４による放電モードは、放電ボタン８８Ｄを押動操作することにより開始し、放電時間記憶部１３４に設定記憶される放電時間を読出して、この放電時間に対応する放電の終了予定時刻が、計時部１２２でカウントされる現在時刻になるまで、放電信号の送出を継続する。そして、放電の終了予定時刻が現在時刻になったら、放電信号の送出を終了して、元のおすすめモードやタイマーモードに移行する。
【０１４５】
つまり、ここでの放電モードは、二次電池３８の実際の残量に拘わらず、当該残量が二次電池３８の残量設定値にまで低下している場合でも、放電ボタン８８Ｄを操作することで、この二次電池３８の残量設定値よりも低い残量に、或いは二次電池３８を使い切って、実際の残量が下限使用限界値に達するまで、二次電池３８を所定時間強制的に放電させることができるようになっている。
【０１４６】
なお例外として、放電モード制御指示部１５４は、二次電池３８の実際の残量が、二次電池３８の下限使用限界値にまで達したと判断した場合には、そこで放電時間記憶部１３３に設定記憶される放電時間に関係なく、放電信号の送出を停止する。また、放電ボタン８８Ｄを操作した時点で、二次電池３８の実際の残量が、既に二次電池３８の下限使用限界値にまで達していれば、放電信号の送出そのものを行なわない。このようにすることで、二次電池３８を必要以上に放電させることによる弊害を防止できる。
【０１４７】
放電モードでは、図２４に示すような表示が行われるように、表示部制御手段１２７が表示部８７を制御する。ここでは特に、二次電池３８から住宅内負荷Ｌ１，Ｌ２に電力消費が行われていることを、動作表示部８７Ｅで表示する他に、放電時間記憶部１３３に記憶保存される放電時間が、充放電時間表示部８７Ｆに表示される。例えば図２４では、設定した放電時間が「３時間」であり、「１２：３４」から「１５：３４」の間に放電を行なうことが、充放電時間表示部８７Ｆで表示される。
【０１４８】
次に、アシストモード制御指示部１５５によるアシストモードの動作を説明する。アシストモードは、例えば朝方などに住宅用負荷Ｌ１，Ｌ２の使用電力量が一時的に増大するような場合に、二次電池３８から所定時間のみ放電を行なって、二次電池３８から住宅用負荷Ｌ１，Ｌ２への電力供給量を一時的に増加させるモードである。これは、おすすめモードやタイマーモードの動作中に、第１操作部８８のアシストボタン８８Ｂを押動操作することにより開始する。
【０１４９】
より詳しくは、アシストモード制御指示部１５５はアシストモードを開始すると、蓄電池盤７の制御基板５４に放電信号を直ぐに送出するのではなく、アシストボタン８８Ｂが操作されてから所定時間（例えば３０分）が経過したら、そこでアシストボタン８８Ｂの操作を受け付けて放電信号の送出を開始し、そこから所定時間（例えば１時間）が経過するまで放電信号の送出を継続させて、二次電池３８を放電させる。つまり、実際に住宅内負荷Ｌ１，Ｌ２の使用電力量が増えるのは、使用者が起床してから一定時間が経過した後になるので、起床した直後にアシストボタン８８Ｂを操作すれば、住宅内負荷Ｌ１，Ｌ２の使用電力量の増加に合せて、二次電池３８から必要な電力を補うことができる。そして、前記所定時間が経過したら放電信号の送出を終了して、元のおすすめモードやタイマーモードに移行する。
【０１５０】
本実施形態のアシストモードでは、アシストボタン８８Ｂの操作された時刻を、アシストモード制御指示部１５５が記憶部１２３の操作時刻記憶部１３６にその都度記憶させて、当該操作時刻記憶部１３６に記憶した時刻に基づいて、所定時刻になったら二次電池３８を所定時間放電させることができるようになっている。例えば、操作時刻記憶部１３６に記憶した直近３日間の時刻が、（午前）７時４５分、７時１５分、７時３０分であったとする。この場合の所定時刻とは、直近３日間の時刻の平均である７時３０分としてもよいし、最も早くアシストボタン８８Ｂを操作した時刻である７時１５分としてもよい。いずれにせよ、それまでのアシストボタン８８Ｂの操作時刻に基づいて、所定時刻になるとアシストモードによる二次電池３８の放電が所定時間行なわれるので、住宅内負荷Ｌ１，Ｌ２の使用電力量の増加に合せて、アシストボタン８８Ｂをその都度操作しなくても、二次電池３８から必要な電力を補うことができる。
【０１５１】
アシストモードの動作中には、家庭内（住宅敷地内）で使用する電流値をカレントトランス１５で測定しており、アシストモード制御指示部１５５は、アシストボタン８８Ｂが押されると、この使用電流値が所定値を超えた時から、二次電池３８を放電させるために、放電信号の送出を所定時間行なう。例えば契約電流が５０Ａで、実際の使用電流値が２０Ａであれば、アシストモードによる放電信号の送出は行わず、所定値である５０Ａになったら、そこから放電信号を所定時間送出して、二次電池３８からの電力供給を行なう。
【０１５２】
また別な例として、アシストモード制御指示部１５５は、アシストボタン８８Ｂが押されてから所定時間以内、或いは予め設定された時刻までに、第１カレントトランス１５で検出した使用電流値が所定値を超えた場合に、二次電池３８を放電させてもよい。例えば、アシストボタン８８Ｂを押してから所定時間である１時間以内に、実際の使用電流値が５０Ａを超えた場合は、その超えている間だけ放電信号を送出して、二次電池３８からの電力供給を行なう。
【０１５３】
これは、住宅内負荷Ｌ１，Ｌ２の使用電力量のピークが、実際には使用者の起床直後にはないことを考慮したもので、アシストモード制御指示部１５５にこのような機能を持たせることにより、住宅内負荷Ｌ１，Ｌ２の使用電力量のピークが近付いてから、二次電池３８から必要な電力を補うことができる。
【０１５４】
また、このような機能を持つアシストモード制御指示部１５５では、初期設定値記憶部１３５に設定記憶された契約電力量を読出して、二次電池３８から契約電力量を超える分の電力を放電できるような放電信号を送出する。これにより、住宅内負荷Ｌ１，Ｌ２が契約電力量を超えるような使用電力になった場合でも、必要以上に二次電池３８が住宅内負荷Ｌ１，Ｌ２への電力供給を行なうのを防止できる。
【０１５５】
さらに、本実施形態におけるアシストモード制御指示部１５５は、前記家庭内の使用電流値が所定値を超えた場合に、二次電池３８から通常時の定格出力である３ｋＶＡを放電できるように、放電信号を送出する機能を備えている。このようにすれば、住宅内負荷Ｌ１，Ｌ２の使用電力量のピークが近付いてから、二次電池３８の定格出力で住宅内負荷Ｌ１，Ｌ２に必要な電力を補うことができる。
【０１５６】
その他、構造上の特徴として、本実施形態のコントローラ６には、筐体８４に対して開閉自在な開閉カバーとしての扉８５が設けられ、扉８５の内側に位置して、扉８５に覆われる各種設定機能用の第２操作部８９が設けられる一方で、第１操作部８８を構成するアシストボタン８８Ｂは、扉８５を閉じても扉８５に覆われない箇所に設けられている。したがって、住宅内負荷Ｌ１，Ｌ２への使用電力量が増加する場合に、わざわざ扉８５を開けなくても、直ぐにアシストボタン８８Ｂの操作を行なって対応することが可能になる。そしてこのような効果は、第１操作部８８の他のボタンに対しても同じことが言える。
【０１５７】
アシストモードでは、図２５に示すような表示が行われるように、表示部制御手段１２７が表示部８７を制御する。ここでは特に、二次電池３８から住宅内負荷Ｌ１，Ｌ２にアシストモードによる電力消費が行われていることを、動作表示部８７Ｅで表示する他に、アシストモードによる放電時間が、充放電時間表示部８７Ｆに表示される。例えば図２５では、アシストモードによる放電時間が「１時間」であり、「１１：００」から「１２：００」の間に放電を行なうことが、充放電時間表示部８７Ｆで表示される。
【０１５８】
次に、停電モード制御指示部１５２による停電自立運転モードの動作を説明する。停電自立運転モードは、制御基板５４側から制御線７１を介して系統Ｓの停電が発生した旨の情報を受取ると、蓄電池システム１を自立運転させるために自動的に動作開始するモードである。
【０１５９】
前述したように、停電時において停電自立運転モードに移行すると、制御基板５４からの制御信号により停電開閉部４３がオフ状態に切替わり、二次電池３８を有する蓄電池盤７と系統Ｓとの連携を遮断して、系統Ｓに電力が逆潮流するのを防止する。また制御基板５４は、第３給電線５２を介して、太陽光発電システム１８から供給されるＡＣ１００Ｖで二次電池３８を充電する場合に、第２開閉器７９をオフからオンに切替える。さらに、補助電源線２２からのＡＣ１００ＶをＤＣ／ＡＣ変換回路６１に印加し、或いはＤＣ／ＡＣ変換回路６１からのＡＣ１００Ｖを住宅用負荷Ｌ２に供給できるようにするために、切替リレー５６をオンからオフに切替えると同時に、切替リレー５７をオフからオンに切替える。停電が発生すると、ＡＣ／ＤＣ変換回路５９を介しての電力供給が断たれるが、二次電池３８からの電力を動作電源部５５からノイズフィルタ６６に印加して、引続き蓄電池制御ユニット３９やコントローラ６に動作電圧を供給することが可能になる。
【０１６０】
停電モード制御指示部１５２は、停電自立運転モードにおいて、太陽光発電システム２１からの電力供給量に関する情報を、制御基板５４から制御線７１を介して取得する。そして、太陽光発電システム２１から二次電池３８に充電を行なえると判断した場合は、制御基板５４に充電信号を送出する一方で、二次電池３８から第２分電盤５に接続する住宅用負荷Ｌ２にバックアップの電力供給が必要であると判断した場合は、制御基板５４に放電信号を送出する。停電時に充電信号が送出されると、太陽光発電システム２１からのＡＣ１００Ｖが、補助電源線２２→第２電源線１７→第３給電線５２の順に送出され、電力変換部５３で直流電力に変換して二次電池３８に供給される。また、停電時に放電信号が送出されると、二次電池３８に蓄えた直流電力が電力変換部５３で交流電力に変換され、そこから第３給電線５２→第２電源線１７→第２給電線３１を介して、住宅用負荷Ｌ２にＡＣ１００Ｖが供給される。但し、停電時には停電開閉部４３がオフ状態のため、第１分電盤４に接続する住宅内負荷Ｌ１は電力供給が断たれて使用不可になる。
【０１６１】
特に本実施形態では、停電自立運転モードにおける二次電池３８からの定格出力が、系統Ｓと連携している場合の二次電池３８からの定格出力よりも少なく、好ましくは２／３以下となるように、停電モード制御指示部１５２による二次電池３８の放電制御を行なわせている。その理由は、停電時には二次電池３８からの定格出力を減らして、住宅用負荷Ｌ２に対する長時間の使用を可能にする一方で、系統Ｓと連携している通常時には、二次電池３８からの定格出力を増やして、住宅用負荷Ｌ１，Ｌ２に対し多くの電力を一時に使用でき、短時間で二次電池３８を使い切ることにより多くのピークシフトに対応できるからである。
【０１６２】
また停電モード制御指示部１５２は、二次電池３８の実際の残量に拘わらず、当該残量が二次電池３８の残量設定値にまで低下している場合でも、二次電池３８を強制的に放電させる。但し、二次電池３８の実際の残量が、二次電池３８の下限使用限界値にまで達したと判断した場合には、そこで放電信号の送出を停止する。
【０１６３】
こうして停電モード制御指示部１５２は、停電が継続している間、二次電池３８を使い切るまで放電信号の送出を継続するが、系統Ｓからの電力供給が再開して復電すると、停電自立運転モードは終了して放電信号の送出も停止する。ここで制御基板５４は、停電開閉部４３をオフからオンに切替えて、蓄電池盤７と系統Ｓとを連携させ、第２開閉器７９をオンからオフに切替えて、太陽光発電システム１８からの交流電力が第３電源線１９から第１電源線８に供給されるようにする。さらに、第２電源線１７からのＡＣ２００ＶをＤＣ／ＡＣ変換回路６１に印加し、或いはＤＣ／ＡＣ変換回路６１からのＡＣ２００Ｖを第２電源線１７に供給できるようにするために、切替リレー５６をオフからオンに切替えると同時に、切替リレー５７をオンからオフに切替えて、蓄電池システム１の動作を再開する。
【０１６４】
停電運転自立モードでは、図２６に示すような表示が行われるように、表示部制御手段１２７が表示部８７を制御する。ここでは例えば、太陽光発電システム２１（「ＰＶ」）からの電力で二次電池３８を充電すると共に、太陽光発電システム２１から住宅内負荷Ｌ１，Ｌ２に電力消費が行われていることを、動作表示部８７Ｅで表示する。また、蓄電池システム１が太陽光発電システム２１などのＨＥＭＳ機器と連動していることを、アラート表示部８７Ｍで表示する。
【０１６５】
また好ましい例として、上述したような停電時に蓄電池盤７を自動的に自立運転開始させる自動自立運転の他に、停電時に蓄電池盤７を自動的に自立運転開始させず、特定の例えば放電ボタン８８Ｄを押動操作するなどして、手動操作を加えることで、蓄電池盤７の自立運転を開始させる手動自立運転の両方の運転パターンを停電モード制御指示部１５２に備え、コントローラ６からの操作で自動自立運転と手動自立運転の何れか一方を選択設定できるように、蓄電池システム１を構成してもよい。この場合、自動自立運転に切替設定した後には、通常とは異なる特定の手順で手動自立運転に再度選択設定できるようにし、手動自立運転に切替設定した後には、同様に通常とは異なる特定の手順で自動自立運転に再度選択設定できるようにするのが好ましい。ここでいう通常とは異なる特定の手順とは、一つのボタン８８Ａ〜８８Ｄ，８９Ａ〜８９Ｆだけを短押しまたは長押しする操作とは異なる操作や、ボタン８９Ａ〜８９Ｆによりパスワードを入力することなどを意味する。具体的には、例えば蓄電池システム１を一旦切状態にして、おすすめボタン８８Ａとアシストボタン８８Ｂを同時に押しながら、運転入／切ボタン８９Ｆを押動操作したら、或いは第２操作部８９からの操作によりパスワードを入力し、その入力したバスワードが記憶部１３２に予め記憶される設定パスワードと一致したら、図１４に示す表示形態から例えば停電時運転設定メニューを選択して、そこで再度選択設定できるようにすればよい。
【０１６６】
次に、蓄電池システム１の設置した後での初期設定について説明する。蓄電池システム１を住宅敷地内に全て設置した後には、屋内に設置したコントローラ６を利用して、初期設定値の入力と記憶を行なう。初期設定値設定部１４５を動作させるためには、前記図１４に示す表示部８７の表示形態で、「初期値設定」のメニューを白黒反転状態に表示させ、決定ボタン８９Ｂを押動操作すればよい。初期設定値設定部１４５により初期設定値を設定するには、使用者側で安易に行なえないようにするために、通常のボタン操作とは異なるように第１操作部８８や第２操作部８９を操作させたり、或いはコントローラ６の通常時には操作できない場所に配置されたスイッチ（図示せず）を操作させたりすることで可能になる。
【０１６７】
初期設定値設定部１４５を利用して、初期設定値記憶部１３５に設定記憶されるパラメータは、系統Ｓを保有する電力会社毎に異なる第１制御設定値と、電力会社と契約した家庭毎に異なる第２制御設定値に大別される。
【０１６８】
第１制御設定値の例としては、系統Ｓの電圧上限値であるＯＶＲ（過電圧保護リレー）整定値や、系統Ｓの実際の電圧が系統Ｓの電圧上限値よりも上昇した時に、過電圧保護リレーを動作させるまでのＯＶＲ整定時間や、系統Ｓの電圧下限値であるＵＶＲ（不足電圧保護リレー）整定値や、系統Ｓの実際の電圧が系統Ｓの電圧下限値よりも低下した時に、不足電圧保護リレーを動作させるまでのＵＶＲ整定時間や、系統Ｓの周波数上限値であるＯＦＲ（周波数上昇リレー）整定値や、系統Ｓの実際の周波数が系統Ｓの周波数上限値よりも上昇した時に、周波数上昇リレーを動作させるまでのＯＦＲ整定時間や、系統Ｓの周波数下限値であるＵＦＲ（周波数低下リレー）整定値や、系統Ｓの実際の周波数が系統Ｓの周波数限値よりも低下した時に、周波数低下リレーを動作させるまでのＵＦＲ整定時間や、系統Ｓの電圧上昇抑制電圧値である電圧上昇抑制整定値や、停電後に、停電が終了してから蓄電池システム１が動作するまでの時間である復電後復帰タイマー整定時間や、系統Ｓの商用周波数である周波数整定値である。また、第２制御設定値の例としては、各家庭でそれぞれ決められる契約電力量や契約電流量の値である。
【０１６９】
初期設定値記憶部１３５には、予め上記の各値について初期値が記憶保存されており、必要に応じて第１操作部８８や第２操作部８９を用いて、その初期値を別な値に変更できるようになっている。一例として、上記第１制御設定値の初期値は、ＯＶＲ整定値が１１５Ｖであり、ＯＶＲ整定時間が１．０ｓであり、ＵＶＲ整定値が８０Ｖであり、ＵＶＲ整定時間が１．０ｓであり、ＯＦＲ整定値が周波数整定値に依存して５１．０Ｈｚまたは６１．０Ｈｚであり、ＯＦＲ整定時間が１．０ｓであり、ＵＦＲ整定値が周波数整定値に依存して４８．５Ｈｚまたは５８．５Ｈｚであり、ＵＦＲ整定時間が１．０ｓであり、電圧上昇抑制整定値が１０８Ｖであり、復電後復帰タイマー整定時間が１５０ｓであり、周波数整定値が５０Ｈｚとなっている。
【０１７０】
また、初期設定値設定部１４５は、上記第１制御設定値や第２制御設定値を、コントローラ６に備えた記憶部１３２の初期設定値記憶部１３５だけでなく、パワーコンディショナ４２を構成する制御基板５４の初期設定記憶部１６１にも設定記憶する。初期設定記憶部１６１は、保守点検時のバックアップとして設けるもので、例えば制御基板５４，９８の何れかを交換する際に、どちらかの初期設定値記憶部１３５，１６１に残っている第１制御設定値や第２制御設定値を再利用することができる。
【０１７１】
次に、蓄電池システム１の保守点検時における作用を説明する。保守点検時には、運転入／切ボタン８９Ｆを押動操作して、蓄電池システム１の運転を停止した後に、蓄電池モジュールＭＤＬ１〜ＭＤＬ６による不意の感電を防止するために、切断機４７を手動操作して直列線路４６を切断する。このときの切断機４７からの検出信号が蓄電池制御ユニット３９に送出されると、蓄電池制御ユニット３９は開閉器４８，４９をオフ状態にして、二次電池３８を系統Ｓから切り離す。また、蓄電池制御ユニット３９から制御基板５４に与えられる制御信号によって、保守用切替器４４がオンからオフに切替わり、蓄電池盤７が系統Ｓから切り離される。この状態から、必要に応じて例えば二次電池３８を構成する電池セル管理モジュールＣＭＵ１〜ＣＭＵ６の何れかを交換することができる。
【０１７２】
なお、保守点検時には保守用切替器４４がオフ状態になることに起因して、第２分電盤５と蓄電池盤７との電気的な接続が断たれてしまうため、このままでは第２分電盤５から蓄電池盤７を経由して住宅用負荷Ｌ２にＡＣ１００Ｖを供給できない。そこで、第２分電盤５に設けた切替器としての切替回路２９を用いて、第２分電盤５から蓄電池盤７を経由せずに、第２電源線１７のＡＣ２００Ｖから、第１給電線３０を介して住宅用負荷Ｌ２にＡＣ１００Ｖを供給できるようにする。これは具体的には、操作体３２の操作により、接点３３をオフからオンにし、接点３４をオンからオフにして達成され、保守点検時でも住宅用負荷Ｌ２を使用することが可能になる。
【０１７３】
次に、蓄電池盤７の構成について、図２７〜図５１を参照しながら説明する。
【０１７４】
図２７及び図２８に示すように、蓄電池盤７は、天面パネル２０１、底面パネル２０２、正面パネル２０３、背面パネル２０４、右側面パネル２０５、左側面パネル２０６からなる外装パネルによって六面を囲まれた直方体状の外観を有している。
【０１７５】
図２９に基づき、正面パネル２０３と、右側面パネル２０５又は左側面パネル２０６との接続部分の構造について説明する。
【０１７６】
正面パネル２０３では、正面パネル２０３の左右両端部を内側へ略垂直に折り曲げて正面側フランジ２０７を形成し、この正面側フランジ２０７の先端部分を正面パネル２０３の面方向と略平行となるように略垂直に折り曲げて正面側折り曲げ部２０８を形成している。
【０１７７】
右側面パネル２０５及び左側面パネル２０６では、右側面パネル２０５及び左側面パネル２０６の正面側端部を右側面パネル２０５又は左側面パネル２０６の面方向と略平行となるように内側へ略垂直に折り曲げた第１の側面側フランジ２０９を形成し、この第１の側面側フランジ２０９の先端部分を正面パネル２０３側へ正面パネル２０３の面方向と略平行となるように略垂直に折り曲げて側面側折り曲げ部２１０を形成し、さらに側面側折り曲げ部２１０の先端部分を正面パネル２０３に向けて正面パネル２０３の面方向と略直交するように略垂直に折り曲げた側面側折り返し部２１１を形成している。
【０１７８】
図３０に基づき、背面パネル２０４と、右側面パネル２０５又は左側面パネル２０６との接続部分の構造について説明する。
【０１７９】
背面パネル２０４では、背面パネル２０４の左右両端部を内側へ略垂直に折り曲げて背面側フランジ２１２を形成し、この背面側フランジ２１２の先端部分を右側面パネル２０５又は左側面パネル２０６へ向けて背面パネル２０４の面方向と略平行となるように略垂直に折り曲げて背面側折り曲げ部２１３を形成している。
【０１８０】
右側面パネル２０５及び左側面パネル２０６では、右側面パネル２０５及び左側面パネル２０６の背面側端部を右側面パネル２０５又は左側面パネル２０６の面方向と略平行となるように内側へ略垂直に折り曲げた第２の側面側フランジ２１４を形成している。
【０１８１】
図３１に基づき、外装パネルを外した状態の蓄電池盤７の内部構造について説明する。
【０１８２】
底面パネル２０２の四隅に立設されたＬ型鋼からなる４本の縦フレーム２１５に囲まれた収納空間内部に、各種機器を収容する構成となっている。
【０１８３】
ここで、蓄電池盤７の外装パネルの防水構造について説明すると、背面パネル２０４は、右側面パネル２０５及び左側面パネル２０６より先に縦フレーム２１５と底面パネル２０２に取り付けられるもので、背面パネル２０４の背面側折り曲げ部２１３が縦フレーム２１５のうち底面パネル２０２の後側２箇所に立設された２本の縦フレーム２１５の後側面２１５Ａと面接触した状態で取り付けられるものである。
【０１８４】
次に、右側面パネル２０５及び左側面パネル２０６は、先に背面パネル２０２が取り付けられた後で縦フレーム２１５と底面パネル２０２に取り付けられる際に、第２の側面側フランジ２１４が背面側フランジ２１２に面接触した状態で取り付けられるとともに、側面側折り曲げ部２１０が縦フレーム２１５のうち底面パネル２０２の前側２箇所に立設された２本の縦フレーム２１５の前側面２１５Ｂと面接触した状態で取り付けられるものである。
【０１８５】
続いて、正面パネル２０３は、先に右側面パネル２０５及び左側面パネル２０６が取り付けられた後で縦フレーム２１５と底面パネル２０２に取り付けられる際に、正面側フランジ２０７が第１の側面側フランジ２０９と面接触し、正面側折り曲げ部２０８が側面側折り曲げ部２１０と面接触した状態で取り付けられるものである。
【０１８６】
このように、背面パネル２０４と、右側面パネル２０５又は左側面パネル２０６との合わせ目から蓄電池盤７内部へ浸入した雨水等の液体は、背面側フランジ２１２と第２の側面側フランジ２１４との間に浸入した後、背面側折り曲げ部２１３の面方向に沿って縦フレーム２１５による収容空間から遠ざかる方向へ流れていく構造となっている。
【０１８７】
また、正面パネル２０３と、右側面パネル２０５又は左側面パネル２０６との合わせ目から蓄電池盤７内部へ浸入した雨水等の液体は、正面側フランジ２０７と第１の側面側フランジ２０９との間に浸入した後、正面側折り曲げ部２０８と側面側折り曲げ部２１０との間に浸入した後、側面側折り返し部２１１の面方向に沿って縦フレーム２１５による収容空間から遠ざかる方向へ流れていく構造となっている。
【０１８８】
また、底面パネル２０２には排水孔（図示せず）を備えており、正面パネル２０３、背面パネル２０４、右側面パネル２０５、左側面パネル２０６を通じて底面パネル２０２へ流れて落ちてくる雨水等の液体を蓄電池盤７の外部へ排出する構造となっている。
【０１８９】
さらに、縦フレーム２１５の上部には、縦フレーム２１５による収容空間の上部を覆うように露たれ防止用防水板２１６が架設されており、露たれ防止用防水板２１６は天面パネル２０１の下面に付着する露が、縦フレーム２１５による収容空間へ滴下することを防止するものである。
【０１９０】
露たれ防止用防水板２１６の左右両端には、上部を開放した断面略コ型の樋部材２１７が前側の縦フレーム２１５の上端と後側の縦フレーム２１５の上端とに架設して取り付けられており、この樋部材２１７は露たれ防止用防水板２１６上の液体を縦フレーム２１５による収容空間から遠ざかるように前面パネル２０３側又は背面パネル２０４側へ案内するものである。
【０１９１】
そして、各縦フレーム２１５の中段部分を連結する仕切り用プレート２１８によって、蓄電池盤７内部は上側を蓄電池制御ユニット３９やパワーコンディショナ４２等が収容される電気部品収納部２１９とし、下側を二次電池３８が収容される電池収納部２２０とに仕切られている。
【０１９２】
電気部品収納部２１９では、蓄電池制御ユニット３９、パワーコンディショナ４２、切断機４７等の電気部品が後側の２本の縦フレーム２１５間に設置された電気部品取付板２２１の前面に取り付けられており、電気部品取付板２２１の左側上部には複数の貫通孔からなる第１の排熱部２２２を備えている。
【０１９３】
また、パワーコンディショナ４２は、天面、底面、背面、左右側面を板材によって囲まれて前面を開放して形成された板金加工品からなる中空箱型状の基板取付体２２３によって覆われた状態で電気部品取付板２２１の前面に取り付けられている。
【０１９４】
ここで、基板取付体２２３の内部には、前述のパワーコンディショナ４２の各構成が収容され、基板取付体２２３の前面側開口部２２４を蓋体２２５によって閉塞されており、基板取付体２２３の背面には、ＤＣ基板２２６が取り付けられており、このＤＣ基板２２６には、前面側から制御基板５４及びＰＣ基板２２７が、それぞれ制御基板取付フレーム２２８及びＰＣ基板取付フレーム２２９を介して取り付けられている。
【０１９５】
また、基板取付体２２３の背面にはＡＣ基板２３０も取り付けられており、このＡＣ基板２３０にはＤＣ基板２２６の切欠部２３１に配置される端子台２３２が端子台取付フレーム２３３を介して取り付けられている。尚、基板取付体２２３の底面には端子台２３２にリード線（図示せず）を引き込む端子台用開口部（図示せず）を備えている。
【０１９６】
基板取付体２２３内部の排熱構造として、基板取付体２２３の底面に形成された基板側吸気口２３４と、この基板側吸気口２３４の上方に位置してＤＣ基板２２６の背面に備えた放熱フィン２３５と、基板側吸気口２３４の上方に位置して基板取付体２２３の天面に形成された基板側排気口２３６とを備えている。放熱フィン２３５は、面方向を上下方向と略平行に形成された金属板を横方向に所定間隔をおいて複数並設したもので、放熱フィン２３５における金属板間には上下方向に気体が流通可能な流路が形成されている。
【０１９７】
基板取付体２２３における天面の基板側排気口２３６には、底面と背面とを開放した中空箱型状の基板側ダクト２３７の底面側開口部２３８が接続されている。
【０１９８】
また、基板側ダクト２３７の背面側を電気部品取付板２２１の前面に取り付けられており、電気部品取付板２２１の右側上部の基板側ダクト２３７が取り付けられた箇所には、基板側ダクト２３７の背面側開口部２３７Ａと連通して形成された取付板側吸気口２３９が設けられている。
【０１９９】
ここで電気部品取付板２２１の背面側には背面側ダクト２４０が取り付けられており、この背面側ダクト２４０は前面を開放した中空箱型状を有しており、電気部品取付板２２１の背面に対して右側上部の取付板側吸気口２３９から第１の排熱部２２２を除く左側上部までの電気部品取付板２２１の背面側の上部半分を覆うように形成されており、背面側ダクト２４０における背面側の左側下部には第２の排熱部２４１が形成されている。ここで、第２の排熱部２４１は第１の排熱部２２２より下位置に設けられている。
【０２００】
背面パネル２０４の左側上部に備えた第１の排気口２４２と第２の排気口２４３について、第１の排気口２４２は第１の排熱部２２２に対応して備えており、第２の排気口２４３は第２の排熱部２４１に対応して備えている。ここで、第１の排気口２４２は第１の排熱部２２２より下方にずらして設けており、第１の排気口２４２から第１の排熱部２２２を介して、雨水や埃が電気部品収納部２１９へ浸入することを防止する構造となっている。
【０２０１】
切断機４７は、電気部品取付板２２１の前面における中央下部に切断機側取付部材２４４を介して取り付けられ、電気部品取付板２２１に取り付けられた他の電子部品よりも前方に設置されている。尚、切断機４７は、仕切り用プレート２１８の中間部分に設けた切断機用開口部２４５を介して、電池収納部２２０の二次電池３８と接続されている。
【０２０２】
電池収納部２２０では、仕切り用プレート２１８と底面パネル２０２との間に上下二段に備えた第１の棚プレート２４６及び第２の棚プレート２４７とを備えており、仕切り用プレート２１８と第１の棚プレート２４６との間には左側面パネル２０６側に蓄電池モジュールＭＤＬ３と右側面パネル２０５側に蓄電池モジュールＭＤＬ４とが左右一対に配置されており、第１の棚の棚プレート２４６と第２の棚プレート２４７との間には左側面パネル２０６側に蓄電池モジュールＭＤＬ２と右側面パネル２０５側に蓄電池モジュールＭＤＬ５とが左右一対に配置されており、第２の棚プレート２４７と底面パネル２０２との間には左側面パネル２０６側に蓄電池モジュールＭＤＬ１と右側面パネル２０５側に蓄電池モジュールＭＤＬ６とが左右一対に配置されている。
【０２０３】
蓄電池モジュールＭＤＬ１〜ＭＤＬ６は、直方体状に形成され、その表面を樹脂部材で覆われており、電池収納部２２０に対して、直方体の最も短い辺２４８を高さ方向に設置するとともに、直方体の二番目に短い辺２４９を奥行き方向に設置している。
【０２０４】
蓄電池モジュールＭＤＬ１〜ＭＤＬ６の端子部２５０は、それぞれ前記直方体の最も長い辺２５１と二番目に短い辺２４９によって囲まれた天面部２５２に設けられている。端子部２５０にそれぞれの一端が接続された一対の棒状の導電性金属板であるブスバー（或いはバスバー）からなる導電部２５３は、天面部２５２から左右一対の蓄電池モジュールＭＤＬ１〜ＭＤＬ６同士が対向する対向面を経て蓄電池モジュールＭＤＬ１〜ＭＤＬ６が正面パネル２０３と対向する前面部まで互いに平行に延出されている。導電部２５３の他端は、リード線Ｌを接続する導線接続部２５４を備えており、一方の導電部２５３の他端と他方の導電部２５３の他端との間には、絶縁部材からなる中空角筒状に形成され、導電部間の短絡を防止する短絡防止用凸部２５５が前面部から前方へ凸設して配置されている。
【０２０５】
また、導電部２５３の他端には、導電部２５３の他端を前方へ略垂直に折り曲げて、その折り曲げ部分の中間部分を切欠いてリード線Ｌの導体部Ｌ１を保持可能な回り止め部２５６を備えている。そして、リード線Ｌの導体部Ｌ１は、導電部２５３の他端に備えた接続穴２５７を介して、導電部２５３の他端にボルト・ナット等からなる固定手段２５８によって電気的に接続されるものである。
【０２０６】
導電部２５３とリード線Ｌとの接続構造については、リード線Ｌの導体部Ｌ１が導電部２５３の他端に接続される際に、回り止め部２５６にリード線Ｌの導体部Ｌ１が保持されるので、固定手段２５８を締める、或いは緩める等の回転動作時にリード線Ｌの導体部Ｌ１が固定手段２５８と一緒に回転することを防止する構造となっている。
【０２０７】
ここで導電部２５３は、絶縁部材からなり、蓄電池モジュールＭＤＬ１〜ＭＤＬ６の対向面と略同一面積を有する外側カバー材２５９及び内側カバー材２６０によって挟持固定された状態で、蓄電池モジュールＭＤＬ１〜ＭＤＬ６の対向面に取り付けられており、内側カバー材２６０の前側下部には蓄電池モジュールＭＤＬ１〜ＭＤＬ６の設置面と固定する固定脚２６１を備えている。
【０２０８】
外側カバー材２５９の前方には、内側カバー材２６０の前側折れ曲り部２６２とともに導電部２５３の前面側部分を挟持する絶縁部材からなる前側カバー材２６３を備えている。
【０２０９】
短絡防止用凸部２５５の前端には、接続穴２５７に対応して、固定手段２５８を操作する工具等が挿通可能に形成されたガイド穴２６４を備えた絶縁部材からなるガイド部材２６５を備えている。
【０２１０】
電池モジュールＭＤＬ１〜ＭＤＬ６は、前面、後面、左右側面の上部及び下部に位置決め用の突起２６６を備えており、この突起２６６が嵌合可能な位置決め用の穴２６７を備えたＬ型金具からなる取付金具２６８を介して、電池モジュールＭＤＬ１〜ＭＤＬ６を第１の棚プレート２４６、第２の棚プレート２４７、及び底面パネル２０２に載置された液受け部材２６９に固定されるものである。
【０２１１】
ここで液受け部材２６９は、浅底な有底角皿形状を有しており、その中央部分には、他の周縁２７０、特に正面パネル２０３と対向する前側周縁２７１より高く形成された凸部２７２を備えており、蓄電池モジュールＭＤＬ１〜ＭＤＬ６はこの凸部２７２に載置されるとともに、凸部２７２と周縁２７０との間に形成された溝部２７３に蓄電池モジュールＭＤＬ１〜ＭＤＬ６の液漏れによって発生した液体を流す構造となっている。
【０２１２】
電池収納部２２０の補強構造として、仕切り用プレート２１８の中間部分前側、第１の棚プレート２４６の中間部分前側、第２の棚プレート２４７の中間部分前側、液受け部材２６９の前側周縁における中間部分前側を連結する棒状の補強部材２７４を備えている。
【０２１３】
蓄電池盤７内部における右側面パネル２０５の内側には、電気部品収納部２１９に対応して前側の縦フレーム２１５と後側の縦フレーム２１５との間の上側の配設される吸気用ダクト２７５を備えている。中空箱型状に形成された吸気用ダクト２７５には、右側面パネル２０５の中央部分に形成された吸気口２７６に対応して右側面パネル２０５と対向する外側面部２７７の下側にダクト側吸気口２７８を備えており、前述の外側面部２７７と対向して電気部品収納部２１９と対向する内側面部２７９の前述のダクト側吸気口２７８より上側、且つ基板側吸気口２３９より下側にファン４５が設置されている。
【０２１４】
そして、蓄電池盤７における外装パネルの防水構造以外の防水構造としては、内側面部２７９のファン４５の下側には、水浸入防止用部材２８０を備えており、この水浸入防止用部材２８０は内側面部２７９に取り付けられた基端側から吸気口２７６へ向けた先端側にかけて下向き傾斜に形成されており、吸気口２７６を介してダクト側吸気口２７８へ浸入してきた雨水等の液体やゴミ等の不純物がファン４５手前の水浸入防止用部材２８０によってファン４５を通じて電気部品収納部２１９へ浸入することを防止する構造となっている。
【０２１５】
蓄電池盤７内部における左側面パネル２０６の内側には、表示部２８１及び端子部２８２を備えており、表示部２８１及び端子部２８２は共に、左側面パネル２０６から外部に露出して備えている。表示部２８１は保守用切替ブレーカ４４を一体に備えている。
【０２１６】
端子部２８２は、左側面パネル２０６の中間部分に形成された端子台取付穴２８３に端子台取付フレーム２８４を介して取り付けられるものであり、第２分電盤５からの第２電源線１７、補助電源線２２、第２給電線３１等が接続される分電盤用の第１の端子台２８５と、コントローラ６からの動作電圧線６９と制御線７１が接続されるコントローラ用の第２の端子台２８６とを備えており、第２の端子台２８６の上部に第１の端子台２８５の下部を隙間を有した状態で重ねて端子台取付フレーム２８４に取り付けられる構造となっている。
【０２１７】
端子台取付フレーム２８４の下部を閉塞可能に備えた第１の端子台カバー２８７には、外部から前述の各線１７，２２，３１，６９，７１を各端子台２８５，２８６まで引き込むための第１の配線用貫通部２８８を複数備えるとともに、第１の端子台カバー２８７と所定間隔を有して下方に平行に設けた第２の端子台カバー２８９にも第１の配線用貫通部２８８に対応して、前述の各線１７，２２，３１，６９，７１を第１の配線用貫通部２８８まで引き込むための第２の配線用貫通部２９０を複数備えている。
【０２１８】
端子台取付フレーム２８４は隣接する二面を解放して形成された六面体からなる第１の端子台箱２９１によって第１の端子台カバー２８７まで覆われており、第１の端子台カバー２８７から第２の端子台カバー２８９までを断面略コ型に形成された第２の端子台箱２９２によって覆われている。
【０２１９】
尚、使用していない第１の配線用貫通部２８８及び第２の配線用貫通部２９０には、防水用キャップ２９４Ａ，２９５Ａが装着され、端子部２８２内部へ雨水等の液体が浸入することを防止する構造となっている。
【０２２０】
外部からの各線１７，２２，３１，６９，７１が端子部２８２の各端子台２８５，２８６を介して、蓄電池盤７内部の電子部品に接続される場合は、各線１７，２２，３１，６９，７１は所望の第１の配線用貫通部２８８及び第２の配線用貫通部２９０に挿通されて、第１の端子台２８５又は第２の端子台２８６に接続されるが、ここで各線１７，２２，３１，６９，７１は第１の配線用貫通部２８８に装着された円筒部材２９３の内部に挿通されるものとする。
【０２２１】
第１の端子台２８５と蓄電池盤７内部の電子部品とは、端子台取付穴２８３の上部の端子台取付フレーム２８４との隙間に形成された第１の開口部２９４を挿通するリード線（図示せず）によって接続されるものとする。
【０２２２】
第２の端子台２８６と蓄電池盤７内部の電子部品とは、第１の端子台２８５と第２の端子台２８６との隙間に形成された第２の開口部２９５を挿通するリード線（図示せず）によって接続されるものとする。
【０２２３】
上記の構成の蓄電池盤７では、蓄電池盤７の下部に二次電池３８を備え、蓄電池盤７の上部に電気部品を備え、電気部品は電気部品取付板２２１の前側に取り付けられ、電気部品取付板２２１の後側に背面側ダクト２４０を備えた構造とし、電気部品取付板２２１と背面パネル２０４によって、第１の排熱部２２２及び第２の排熱部２４１から排出される空気をそれぞれ第１の排気口２４２及び第２の排気口２４３へ送り出す排気経路を構成している。
【０２２４】
基板取付体２２３近くの右側面パネル２０５側にファン４５を備え、このファン４５と反対側の左側面パネル２０６側の電気部品取付板２２１に第１の排熱部２２２を備え、ファンから取り込まれた空気で電気部品取付板２２１に取り付けられた電気部品の冷却して第１の排熱部２２２から排出する排気経路が構成される。
【０２２５】
背面パネル２０４に形成された第１の排気口２４２を、電気部品取付板２２１に備えた第１の排熱部２２２より下側に備えており、第１の排気口２４２から第１の排熱部２２２を介して、雨水や埃が電気部品収納部２１９へ浸入することを防止する。
【０２２６】
電気部品取付板２２１に取り付けられる電気部品は、温度上昇の少ない電気部品を下部に取り付けるとともに、温度上昇の大きい電気部品を上部に取り付ける構造としており、温度上昇の大きい電子部品から発生する熱によって、温度上昇の少ない電子部品が影響を受けるのを防ぐことができる。
【０２２７】
仕切り用プレート２１８によって二次電池３８と電気部品とを仕切る構造とすることにより、二次電池３８と電気部品間の熱リークを防止するとともに、電気部品に異常が発生した時に二次電池３８に影響が生じるのを防ぐことができる。
【０２２８】
切断機４７を、電池収納部２２０の略中央上部に備えた構造とすることで、サービス性を向上させている。
【０２２９】
また、切断機４７を、切断機取付部材２４４を介して電気部品収納部２１９の収容された他の電気部品より前側に備えた構造とすることで、サービス性を向上させている。
【０２３０】
切断機４７の下側の仕切り用プレート２１８に切断機用開口部２４５を備えたことにより、切断機４７と電池収納部２２０の二次電池３８との接続作業を容易にすることができる。
【０２３１】
補強部材２７４によって仕切り用プレート２１８の中間部分前側、第１の棚プレート２４６の中間部分前側、第２の棚プレート２４７の中間部分前側、液受け部材２６９の前側周縁における中間部分前側を連結することで、仕切りプレート２１８、第１の棚プレート２４６、第２の棚プレート２４７が蓄電池モジュールＭＤＬ１〜ＭＤＬ６の重みで撓むのを防ぐことができる。尚、補強部材２７４に導電部２５３に接続されるリード線Ｌを保持する部材（図示せず）を備えてもよいものとする。
【０２３２】
正面パネル２０３の正面側フランジ２０７に設けた正面側折り曲げ部２０８、右側面パネル２０５及び左側面パネル２０６に設けた側面側折り曲げ部２１０及び側面側折り返し部２１１、背面パネル２０４の背面側フランジ２１２に設けた背面側折り曲げ部２１３からなる防水用フランジを備え、外装パネルの合わせ目から浸入した雨水等の液体が蓄電池盤７内部に浸入するのを防止する。外装パネルの合わせ目から浸入した雨水等の液体は防水用フランジ及び縦フレーム２１５に沿って底面パネル２０２に導かれ、底面パネル２０２に備えた穴（図示せず）により、蓄電池盤７の外部に放出される。
【０２３３】
天面パネル２０１の下部に露たれ防止用防水板２１６を備えて、天面パネル２０１から滴下する露が蓄電池盤７内部に浸入することを防止する。
【０２３４】
吸気用ダクト２７８に備えた水浸入防止用部材２８０によって、吸気用ダクト２７８から蓄電池盤７内部に雨水等の液体が浸入することを防止する。
【０２３５】
端子部２８２の各線の引き込み側は第１の端子台カバー２８７及び第２の端子台カバー２８９からなる二重構造となっており、第１の端子カバー２８７と第２の端子台カバー２８９の間に円筒部材２９３を備え、端子部２８２から雨水等の液体が浸入することを防止する。尚、端子部２８２の防水対策として、第１の端子台カバー２８７の第１の配線用貫通部２８８と、第２の端子台カバー２８９の第２の配線用貫通部２９０とは互いに穴の位置をずらして設けられていてもよい。
【０２３６】
第１の端子台２８５と第２の端子台２８６の隙間に形成された第２の開口部２９５から第２の端子台２８６に接続するリード線を引き出すことで、リード線がからまるのを防止するとともに、蓄電池システム１にノイズが発生することを防止する。
【０２３７】
基板取付体２２３では、基板取付体２２３の近傍のファン４５からの空気を基板側吸気口２３４から基板取付体２２３内部に取り込み、基板取付体２２３内部の放熱フィン２３５を通過する際に基板取付体２２３内の各基板２２６，２２７，２３０の熱を奪い、基板側排気口２３６から背面側ダクト２４０を通過して第２の排気口２４３から外部へ排出する。
【０２３８】
以上のように、本実施形態の蓄電池システム１は、二次電池３８と、前記二次電池３８の状態を認識して制御を行なう蓄電池制御ユニット３９と、前記二次電池３８の充放電を制御する充放電制御部４２と、前記充放電制御部４２を冷却するファン４５とを備え、前記二次電池３８は、複数の蓄電池モジュールＭＤＬ１〜ＭＤＬ６からなり、複数の前記蓄電池モジュールＭＤＬ１〜ＭＤＬ６は左右一対に設けられ、その左右一対の前記電池モジュールＭＤＬ１〜ＭＤＬ６を上下方向に複数段設けるとともに、前記二次電池３８が収納される電池収納部２２０の上方には、前記充放電制御部４２が設けられ、前記充放電制御部４２に設けられた放熱器としての放熱フィン２３５を前記ファン４５の風路に設けている。
【０２３９】
この場合、蓄電池モジュールＭＤＬ１〜ＭＤＬ６を一対にして、蓄電池システムにおける蓄電池盤７の底部に配置して、複数段積み上げることにより、万が一、二次電池３８の電解液が漏れても、電装部品には、電解液が触れることがないので、発火の危険を防止することができる。また、蓄電池システムにおける蓄電池盤７の高さを低くすることができ、安定して設置できるので、地震などの揺れに対しても安定させることができる。
【０２４０】
また、本実施形態では、蓄電池モジュールＭＤＬ１〜ＭＤＬ６は、直方体状に形成され、電池収納部２２０に対して、直方体の最も短い辺２４８を高さ方向に設置するとともに、直方体の二番目に短い辺２４９を奥行き方向に設置することにより、蓄電池モジュールＭＤＬ１〜ＭＤＬ６を低く積み上げることができ、蓄電池システムにおける蓄電池盤７の高さをより低くすることができる。
【０２４１】
さらに、本実施形態では、蓄電池モジュールＭＤＬ１〜ＭＤＬ６の端子部２５０は、直方体の最も長い辺２５１と二番目に短い辺２４９によって囲まれる面としての天面部２５２に設けられ、端子部２５０から蓄電池システムにおける蓄電池盤７の前面まで延出した導電部２５３を設け、導電部２５３の端部に他の蓄電池モジュールＭＤＬ１〜ＭＤＬ６と接続する接続部としての導線接続部２５４を設け、導線接続部２５４と上下方向に隣接する蓄電池モジュールＭＤＬ１〜ＭＤＬ６の導線接続部２５４とを導電線としてのリード線Ｌで接続したことにより、導電部２５３の端子部を前面に配置することで、作業性を向上させることができる。
【０２４２】
また、本実施形態では、導電部２５３は絶縁材からなるカバーとしての外側カバー材２５９、内側カバー材２６０、前側カバー材２６３によって覆われ、導電部２５３の端部間に絶縁部材としての短絡防止用凸部２５５を配置したことにより、導電部２５３の端子部間の接触を防止することができる。
【０２４３】
さらに、本実施形態では、複数の蓄電池モジュールＭＤＬ１〜ＭＤＬ６間の電力を切断する切断機４７を設け、切断機４７は、蓄電池システム１における蓄電池盤７の前面側である正面パネル２０３側に設けられたことにより、正面パネル２０３を取り外すと簡単に切断機４７を取り外すことが可能となり、サービス性が向上する。
【０２４４】
また、本実施形態では、充放電制御部４２を前方からケースとしての基板取付体２２３により覆い、基板取付体２２３は後方の取り付け板としての電気部品取付板２２１に接続され、その電気部品取付板２２１の後方にはダクトとしての背面側ダクト２４０が取り付けられ、ファン４５から前記ダクト２４０間の通風経路内に放熱フィン２３５が設けられたことにより、冷却風が電子部品に直接触れる機会を少なくして、ほこりなどがかからないようにするとともに、充放電制御部４２自体を電気部品取付板２２１から取り外すことで、修理し易い構造とすることができる。また、電磁波が充放電制御部４２から外部に漏れることを極力防止することができる。
【０２４５】
さらに、本実施形態では、二次電池３８の最底部に液受け部としての液受け部材２６９を設けたことにより、二次電池３８から漏れ出した電解液を受けることができる。
【０２４６】
また、本実施形態では、液受け部材２６９の中心部には凸部２７２が設けられ、凸部２７２の上部に蓄電池モジュールＭＤＬ１〜ＭＤＬ６が載置され、凸部２７２は少なくとも液受け部材２６９の前面側の側壁としての前側周壁２７１の高さと同じか高く形成されたことにより、二次電池３８の蓄電池モジュールＭＤＬ１〜ＭＤＬ６を蓄電池システム１における蓄電池盤７の前方からずらしながら載置することができる。
【０２４７】
なお、本発明は、上記実施形態に限定されるものではなく、本発明の趣旨を逸脱しない範囲で変更可能である。例えば、特定のスイッチとしてのおすすめボタン８８Ａは、コントローラ６に備えた他のボタンと兼用させてもよい。また、上記説明における実際の充放電の開始時刻や終了時刻はあくまでも一例であり、電力会社毎に設定される深夜電力の時間帯などを考慮して、適宜変更してよい。尚、ファン４５からの空気を第１の排熱部２２２へ案内する仕切り板を備えたものでもよい。
【符号の説明】
【０２４８】
１  蓄電池システム
３８  二次電池
３９  蓄電池制御ユニット
４２  パワーコンディショナ（充放電制御部）
２２０  電池収納部
２２１  電気部品取付板
２２３  基板取付体
２３５  放熱フィン
２４０  背面側ダクト
２４８  最も短い辺
２４９  二番目に短い辺
２５０  端子部
２５１  最も長い辺
２５３  導電部
２５５  短絡防止用凸部
２５９  外側カバー材
２６０  内側カバー材
２６３  前側カバー材
２６９  液受け部材
２７１  前側周縁
２７２  凸部
ＭＤＬ１〜ＭＤＬ６  蓄電池モジュール
【図１】
2014026934.tif 000003
【図４】
2014026934.tif 000004
【図５】
2014026934.tif 000005
【図８】
2014026934.tif 000006
【図９】
2014026934.tif 000007
【図１０】
2014026934.tif 000008
【図１１】
2014026934.tif 000009
【図１２】
2014026934.tif 000010
【図１３】
2014026934.tif 000011
【図１４】
2014026934.tif 000012
【図１５】
2014026934.tif 000013
【図１６】
2014026934.tif 000014
【図１７】
2014026934.tif 000015
【図１８】
2014026934.tif 000016
【図１９】
2014026934.tif 000017
【図２０】
2014026934.tif 000018
【図２１】
2014026934.tif 000019
【図２２】
2014026934.tif 000020
【図２３】
2014026934.tif 000021
【図２４】
2014026934.tif 000022
【図２５】
2014026934.tif 000023
【図２６】
2014026934.tif 000024
【図２７】
2014026934.tif 000025
【図２８】
2014026934.tif 000026
【図２９】
2014026934.tif 000027
【図３０】
2014026934.tif 000028
【図３１】
2014026934.tif 000029
【図３２】
2014026934.tif 000030
【図３３】
2014026934.tif 000031
【図３４】
2014026934.tif 000032
【図３５】
2014026934.tif 000033
【図３６】
2014026934.tif 000034
【図３７】
2014026934.tif 000035
【図３８】
2014026934.tif 000036
【図３９】
2014026934.tif 000037
【図４０】
2014026934.tif 000038
【図４１】
2014026934.tif 000039
【図４２】
2014026934.tif 000040
【図４３】
2014026934.tif 000041
【図４４】
2014026934.tif 000042
【図４５】
2014026934.tif 000043
【図４６】
2014026934.tif 000044
【図４７】
2014026934.tif 000045
【図４８】
2014026934.tif 000046
【図４９】
2014026934.tif 000047
【図５０】
2014026934.tif 000048
【図５１】
2014026934.tif 000049
【図２】
2014026934.tif 000050
【図３】
2014026934.tif 000051
【図６】
2014026934.tif 000052
【図７】
2014026934.tif 000053